(57)【要約】  種類が異なる記録媒体のいずれをも円滑に搬送することができる媒体搬送装置を提供する。かかる媒体搬送装置（３０Ａ）は、ロール状記録媒体（５Ａ）と平板状記録媒体とを選択的に搬送可能である。媒体搬送装置（３０Ａ）は、ロール状記録媒体（５Ａ）が載置される第１プラテン（３１）と、ロール状記録媒体（５Ａ）を第１プラテン（３１）に送り出す供給ローラ（３５）と、第１プラテン（３１）の後方に配置され、平板状記録媒体を前方または後方に搬送する第１搬送ローラ（６１）と、第１プラテン（３１）の前方に配置され、第１搬送ローラ（６１）が平板状記録媒体を搬送する方向に平板状記録媒体を搬送する第２搬送ローラ（６２）とを備えている。供給ローラ（６１）の中心（Ｃ１１）は、第１搬送ローラ（６２）の中心（Ｃ２１）よりも下方に配置されている。第１プラテン（３１）と第１搬送ローラ（６１）との間に、ロール状記録媒体（５Ａ）が通る第１搬送通路（７１）が形成されている。
2015166950.tif 000002
【特許請求の範囲】
【請求項１】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記ロール状記録媒体を前記第１プラテンに向かって送り出す供給ローラと、  前記第１プラテンの後方に配置され、前記平板状記録媒体を前方または後方に搬送する第１搬送ローラと、  前記第１プラテンの前方に配置され、前記第１搬送ローラが前記平板状記録媒体を搬送する方向と同一の方向に前記平板状記録媒体を搬送する第２搬送ローラと、を備え、  前記供給ローラの中心は、前記第１搬送ローラの中心よりも下方に位置し、  前記第１プラテンと前記第１搬送ローラとの間に、前記供給ローラから前記第１プラテンに送り出される前記ロール状記録媒体が通る第１搬送通路が形成されている、媒体搬送装置。
【請求項２】
前記第１プラテンに設けられ、前記ロール状記録媒体を前方に搬送するグリッドローラを備え、  前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、請求項１に記載された媒体搬送装置。
【請求項３】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記ロール状記録媒体を前記第１プラテンに向かって送り出す供給ローラと、  前記第１プラテンに設けられ、前記ロール状記録媒体を前方に搬送するグリッドローラと、  前記第１プラテンの後方に配置され、前記平板状記録媒体を前方または後方に搬送する第１搬送ローラと、  前記第１プラテンの前方に配置され、前記第１搬送ローラが前記平板状記録媒体を搬送する方向と同一の方向に前記平板状記録媒体を搬送する第２搬送ローラと、を備え、  前記供給ローラの中心は、前記第１搬送ローラの中心よりも下方に位置し、  前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、媒体搬送装置。
【請求項４】
前記第１プラテンの下方に設けられ、前記第１プラテン上を通過した前記ロール状記録媒体を巻き取る巻き取りローラを備えた、請求項１から３までの何れか一つに記載された媒体搬送装置。
【請求項５】
前記第１搬送ローラの中心および前記第２搬送ローラの中心は、前記供給ローラの中心および前記巻き取りローラの中心よりも上方に位置している、請求項４に記載された媒体搬送装置。
【請求項６】
前記供給ローラの中心は、前記第１搬送ローラの中心よりも前方に位置し、  前記巻き取りローラの中心は、前記第２搬送ローラの中心よりも後方に位置する、請求項４または５に記載された媒体搬送装置。
【請求項７】
前記第１プラテンと前記第２搬送ローラとの間に、前記第１プラテン上を通過した前記ロール状記録媒体が通る第２搬送通路が形成されている、請求項１から６までの何れか一つに記載された媒体搬送装置。
【請求項８】
前記第１プラテンの上面は、前記第１搬送ローラおよび前記第２搬送ローラの軸方向から見たときに、前記第１搬送ローラの上端と前記第２搬送ローラの上端とを結ぶ直線よりも下方に配置されている、請求項１から７までの何れか一つに記載された媒体搬送装置。
【請求項９】
前記第１プラテン上に着脱可能に設けられ、前記平板状記録媒体が載置される前記第２プラテンを備えた、請求項１から８までの何れか一つに記載された媒体搬送装置。
【請求項１０】
前記第１プラテンは、前記第１搬送ローラおよび前記第２搬送ローラの軸方向から見たときに、前記第１プラテンの上面が前記第１搬送ローラの上端と前記第２搬送ローラの上端とを結ぶ直線と一致する位置まで昇降可能に構成された、請求項１から８までの何れか一つに記載された媒体搬送装置。
【請求項１１】
前記グリッドローラの上方に配置され、前記グリッドローラと共に前記ロール状記録媒体を挟むピンチローラと、  前記平板状記録媒体が搬送される際、前記ピンチローラを前記第１搬送ローラの上端と前記第２搬送ローラの上端とを結ぶ直線よりも上方に移動させる移動機構と、を備えた、請求項２または３に記載された媒体搬送装置。
【請求項１２】
前記第１搬送ローラおよび前記第２搬送ローラを回転させる駆動モータを備えた、請求項１から１１までの何れか一つに記載された媒体搬送装置。
【請求項１３】
前記ロール状記録媒体と、前記平板状記録媒体と、少なくとも一部が曲がりながら搬送され、前記ロール状記録媒体よりも可撓性が高い他のロール状記録媒体とを選択的に搬送可能であり、  前記第１プラテンには、前記他のロール状記録媒体が載置され、  前記供給ローラは、前記他のロール状記録媒体を前記第１プラテンに向かって送り出し、  前記第１プラテンの後方に配置され、前記供給ローラから送り出された前記他のロール状記録媒体が巻き掛けられると共に、前記他のロール状記録媒体を前記第１プラテンに向かって送り出す第１巻き掛けローラを備え、  前記第１搬送ローラは、前記第１巻き掛けローラから送り出された前記他のロール状記録媒体が巻き掛けられると共に、前記他のロール状記録媒体を前記第１プラテンに向かって送り出し、  前記第１巻き掛けローラの中心は、前記第１搬送ローラの中心よりも前方かつ下方に位置し、  前記第１プラテンと前記第１巻き掛けローラとの間に、前記他のロール状記録媒体が通る他のロール状記録媒体搬送通路が形成されている、請求項１から１２までの何れか一つに記載された媒体搬送装置。
【請求項１４】
前記第１巻き掛けローラの中心は、前記供給ローラの中心よりも前方かつ上方に位置している、請求項１３に記載された媒体搬送装置。
【請求項１５】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記ロール状記録媒体を前記第１プラテンに向かって送り出す供給ローラと、  前記第１プラテンの後方に配置され、前記平板状記録媒体を前方または後方に搬送する第１搬送ローラと、を備え、  前記供給ローラの中心は、前記第１搬送ローラの中心よりも下方に位置し、  前記第１プラテンと前記第１搬送ローラとの間に、前記供給ローラから送り出される前記ロール状記録媒体が通る第１搬送通路が形成されている、媒体搬送装置。
【請求項１６】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記ロール状記録媒体を前記第１プラテンに向かって送り出す供給ローラと、  前記第１プラテンの前方に配置され、前記平板状記録媒体を前方または後方に搬送する第２搬送ローラと、を備え、  前記第１プラテンと前記第２搬送ローラとの間に、前記供給ローラから送り出されて前記第１プラテン上を通過した前記ロール状記録媒体が通る第２搬送通路が形成されている、媒体搬送装置。
【請求項１７】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記第１プラテンの上方に設けられ、前記第１プラテン上の前記ロール状記録媒体に向かってインクを吐出する記録ヘッドと、  前記ロール状記録媒体を前記第１プラテンに向かって送り出す供給ローラと、  前記第１プラテンの後方に配置され、前記平板状記録媒体を前方または後方に搬送する第１搬送ローラと、を備え、  前記供給ローラの中心は、前記第１搬送ローラの中心よりも上方に位置し、  前記記録ヘッドと前記第１搬送ローラとの間に、前記供給ローラから送り出される前記ロール状記録媒体が通る第３搬送通路が形成されている、媒体搬送装置。
【請求項１８】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記第１プラテンの上方に設けられ、前記第１プラテン上の前記ロール状記録媒体に向かってインクを吐出する記録ヘッドと、  前記ロール状記録媒体を前記第１プラテンに向かって送り出す供給ローラと、  前記第１プラテンの前方に配置され、前記平板状記録媒体を前方または後方に搬送する第２搬送ローラと、を備え、  前記供給ローラの中心は、前記第２搬送ローラの中心よりも上方に位置し、  前記第１プラテンと前記第２搬送ローラとの間に、前記供給ローラから送り出されて前記第１プラテン上を通過した前記ロール状記録媒体が通る第２搬送通路が形成されている、媒体搬送装置。
【請求項１９】
少なくとも一部が曲がりながら搬送されるロール状記録媒体と、真っ直ぐに搬送される平板状記録媒体とを選択的に搬送可能な媒体搬送装置であって、  前記ロール状記録媒体が載置される第１プラテンと、  前記第１プラテンに設けられ、前記ロール状記録媒体を前方に搬送するグリッドローラと、  前記第１プラテンの前方または後方に配置され、前記平板状記録媒体を前方または後方に搬送する第１搬送ローラと、を備え、  前記第１搬送ローラの軸方向から見たときに、前記第１搬送ローラの上端を通る水平面は、前記第１プラテンの上面よりも上方に位置している、媒体搬送装置。
【請求項２０】
前記第１搬送ローラによって前記平板状記録媒体を搬送する際、前記グリッドローラは、前記第１搬送ローラの軸方向から見たときに、前記第１搬送ローラの上端を通る水平面よりも下方に位置している、請求項１９に記載された媒体搬送装置。
【請求項２１】
前記グリッドローラは、前記ロール状記録媒体を搬送する際に回転し、かつ、前記平板状記録媒体が前記第１搬送ローラによって搬送される際に停止するように構成されている、請求項１９または２０に記載された媒体搬送装置。
【請求項２２】
前記ロール状記録媒体を前記第１プラテンに向かって送り出す供給ローラと、  前記第１プラテンの前方に配置され、前記第１搬送ローラが前記平板状記録媒体を搬送する方向と同一の方向に前記平板状記録媒体を搬送する第２搬送ローラと、を備え、  前記第１搬送ローラは、前記第１プラテンの後方に配置され、  前記供給ローラの中心は、前記第１搬送ローラの中心よりも下方に位置し、  前記第１プラテンと前記第１搬送ローラとの間に、前記供給ローラから前記第１プラテンに送り出される前記ロール状記録媒体が通る第１搬送通路が形成されている、請求項１９から２１までの何れか一つに記載された媒体搬送装置。
【請求項２３】
前記ロール状記録媒体を前記第１プラテンに向かって送り出す供給ローラと、  前記第１プラテンの前方に配置され、前記第１搬送ローラが前記平板状記録媒体を搬送する方向と同一の方向に前記平板状記録媒体を搬送する第２搬送ローラと、を備え、  前記第１搬送ローラは、前記第１プラテンの後方に配置され、  前記供給ローラの中心は、前記第１搬送ローラの中心よりも下方に位置し、  前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、請求項１９から２１までの何れか一つに記載された媒体搬送装置。
【請求項２４】
前記ロール状記録媒体を前記第１プラテンに向かって送り出す供給ローラを備え、  前記第１搬送ローラは、前記第１プラテンの後方に配置され、  前記供給ローラの中心は、前記第１搬送ローラの中心よりも下方に位置し、  前記第１プラテンと前記第１搬送ローラとの間に、前記供給ローラから送り出される前記ロール状記録媒体が通る第１搬送通路が形成されている、請求項１９から２１までの何れか一つに記載された媒体搬送装置。
【請求項２５】
前記ロール状記録媒体を前記第１プラテンに向かって送り出す供給ローラと、  前記第１プラテンの前方に配置され、前記第１搬送ローラが前記平板状記録媒体を搬送する方向と同一の方向に前記平板状記録媒体を搬送する第２搬送ローラと、を備え、  前記第１搬送ローラは、前記第１プラテンの後方に配置され、  前記第１プラテンと前記第２搬送ローラとの間に、前記供給ローラから送り出されて前記第１プラテン上を通過した前記ロール状記録媒体が通る第２搬送通路が形成されている、請求項１９から２１までの何れか一つに記載された媒体搬送装置。
【請求項２６】
前記第１プラテンの上方に設けられ、前記第１プラテン上の前記ロール状記録媒体に向かってインクを吐出する記録ヘッドと、  前記ロール状記録媒体を前記第１プラテンに向かって送り出す供給ローラと、を備え、  前記第１搬送ローラは、前記第１プラテンの後方に配置され、  前記供給ローラの中心は、前記第１搬送ローラの中心よりも上方に位置し、  前記記録ヘッドと前記第１搬送ローラとの間に、前記供給ローラから送り出される前記ロール状記録媒体が通る第３搬送通路が形成されている、請求項１９から２１までの何れか一つに記載された媒体搬送装置。
【請求項２７】
前記第１プラテンの上方に設けられ、前記第１プラテン上の前記ロール状記録媒体に向かってインクを吐出する記録ヘッドと、  前記ロール状記録媒体を前記第１プラテンに向かって送り出す供給ローラと、  前記第１プラテンの前方に配置され、前記第１搬送ローラが前記平板状記録媒体を搬送する方向と同一の方向に前記平板状記録媒体を搬送する第２搬送ローラと、を備え、  前記第１搬送ローラは、前記第１プラテンの後方に配置され、  前記供給ローラの中心は、前記第２搬送ローラの中心よりも上方に位置し、  前記第１プラテンと前記第２搬送ローラとの間に、前記供給ローラから送り出されて前記第１プラテン上を通過した前記ロール状記録媒体が通る第２搬送通路が形成されている、請求項１９から２１までの何れか一つに記載された媒体搬送装置。
【請求項２８】
少なくとも一部が曲がりながら搬送される第１ロール状記録媒体と、少なくとも一部が曲がりながら搬送される第２ロール状記録媒体とを選択的に搬送可能な媒体搬送装置であって、  前記第１ロール状記録媒体および前記第２ロール状記録媒体が載置される第１プラテンと、  前記第１ロール状記録媒体および前記第２ロール状記録媒体を前記第１プラテンに向かって送り出す供給ローラと、  前記第１プラテンの後方に配置され、前記供給ローラから送り出された前記第２ロール状記録媒体が巻き掛けられると共に、前記第２ロール状記録媒体を前記第１プラテンに向かって送り出す第１巻き掛けローラと、  前記第１プラテンの後方に配置され、前記第１巻き掛けローラから送り出された前記第２ロール状記録媒体が巻き掛けられると共に、前記第２ロール状記録媒体を前記第１プラテンに向かって送り出す第１搬送ローラと、を備え、  前記第１巻き掛けローラの中心は、前記第１搬送ローラの中心よりも前方かつ下方に位置し、  前記第１プラテンと前記第１搬送ローラとの間に、前記供給ローラから前記第１プラテンに送り出される前記第１ロール状記録媒体が通る第１搬送通路が形成され、  前記第１プラテンと前記第１巻き掛けローラとの間に、前記第２ロール状記録媒体が通る第２ロール状記録媒体搬送通路が形成されている、媒体搬送装置。
【請求項２９】
前記第１ロール状記録媒体と、前記第２ロール状記録媒体と、真っ直ぐに搬送される平板状記録媒体とを選択的に搬送可能であり、  前記第１搬送ローラは、前記平板状記録媒体を前方または後方に搬送し、  前記第１プラテンの前方に配置され、前記第１搬送ローラが前記平板状記録媒体を搬送する方向と同一の方向に前記平板状記録媒体を搬送する第２搬送ローラを備え、  前記第１搬送ローラの中心と前記第２搬送ローラの中心とは、同じ高さの位置である、請求項２８に記載された媒体搬送装置。
【請求項３０】
少なくとも一部が曲がりながら搬送される第１ロール状記録媒体と、少なくとも一部が曲がりながら搬送される第２ロール状記録媒体とを選択的に搬送可能な媒体搬送装置であって、  前記第１ロール状記録媒体および前記第２ロール状記録媒体が載置される第１プラテンと、  前記第１プラテンの下方に設けられ、前記第１プラテン上を通過した前記第１ロール状記録媒体および前記第２ロール状記録媒体を巻き取る巻き取りローラと、  前記第１プラテンの前方に配置され、前記第１プラテン上を通過した前記第２ロール状記録媒体が巻き掛けられると共に、前記第２ロール状記録媒体を前記巻き取りローラに向かって送り出す第２搬送ローラと、  前記第１プラテンの前方に配置され、前記第２搬送ローラから送り出された前記第２ロール状記録媒体が巻き掛けられると共に、前記第２ロール状記録媒体を前記巻き取りローラに向かって送り出す第２巻き掛けローラと、を備え、  前記第２巻き掛けローラの中心は、前記第２搬送ローラの中心よりも後方かつ下方に位置し、  前記第１プラテンと前記第２搬送ローラとの間に、前記第１プラテン上を通過した前記第１状記録媒体が通る第２搬送通路が形成され、  前記第１プラテンと前記第２巻き掛けローラとの間に、前記第１プラテン上を通過した前記第２ロール状記録媒体が通る第２ロール状記録媒体搬送通路が形成されている、媒体搬送装置。
【請求項３１】
前記第１ロール状記録媒体と、前記第２ロール状記録媒体と、真っ直ぐに搬送される平板状記録媒体とを選択的に搬送可能であり、  前記第２搬送ローラは、前記平板状記録媒体を前方または後方に搬送し、  前記第１プラテンの後方に配置され、前記第２搬送ローラが前記平板状記録媒体を搬送する方向と同一の方向に前記平板状記録媒体を搬送する第１搬送ローラを備え、  前記第１搬送ローラの中心と、前記第２搬送ローラの中心とは、同じ高さの位置である、請求項３０に記載された搬送媒体装置。
【請求項３２】
請求項１から３１までの何れか一つに記載された媒体搬送装置を備えた、印刷装置。
【発明の詳細な説明】
【技術分野】
【０００１】  本発明は、媒体搬送装置およびそれを備えた印刷装置に関する。【０００２】  なお、本出願は、２０１４年４月３０日に出願された日本国特許出願２０１４−０９３８４７号に基づく優先権を主張しており、その出願の全内容は本明細書中に参照として組み入れられている。
【背景技術】
【０００３】  従来から、印刷される記録媒体として、ロール状の記録媒体、および、平板状の記録媒体が知られている。ロール状の記録媒体とは、ロール状に巻き取ることが容易な媒体であり、例えば、紙またはプラスチックなどの比較的厚みが薄く、かつ、曲がり易い材質で形成された媒体である。ただし、ロール状の記録媒体は、必ずしもロール状に巻かれた状態で供給または回収される必要はなく、単票式に搬送されてもよい。平板状の記録媒体は、ロール状の記録媒体よりも剛性が高い材質で形成された媒体であり、通常は巻き取ることができない媒体である。平板状の記録媒体とは、例えば、段ボールなどの曲げ難い材質で形成された媒体である。【０００４】  特許文献１には、ローラから供給される帯状の記録媒体と、単票の記録媒体とに印刷が可能な印刷装置が開示されている。この印刷装置は、プラテンと、プラテンの後方において後斜め上に向かって延びたホッパーと、ホッパーよりも後方に配置されたローラとを備えている。ローラに巻かれた記録媒体に印刷を行う場合には、ローラからプラテンに向かって記録媒体が前方に送り出される。ホッパー上に載置された単票の記録媒体に印刷を行う場合には、記録媒体はホッパーから曲がりながら前方に向かってプラテン上に搬送される。
【先行技術文献】
【特許文献】
【０００５】
【特許文献１】日本国特許出願特開２０１１−１５７１６６号公報
【発明の概要】
【発明が解決しようとする課題】
【０００６】  このように、特許文献１に記載された印刷装置に内蔵された媒体搬送装置では、単票の記録媒体に印刷を行う場合には、記録媒体を曲げながら搬送しなければならなかった。ロール状の記録媒体は少なくとも一部が曲がりながら搬送されるが、平板状の記録媒体は真っ直ぐに搬送される。そのため、単票の記録媒体に代えて、曲げ難い平板状の記録媒体を用いることはできなかった。ところで、同一の印刷装置において、ロール状の記録媒体および平板状の記録媒体を自由に選択して使用できれば便利である。ところが、特許文献１に記載された印刷装置の媒体搬送装置では、平板状の記録媒体を用いることができないので、ロール状の記録媒体および平板状の記録媒体の両方を選択的に使用することは困難である。【０００７】  本発明はかかる点に鑑みてなされたものであり、その目的は、種類が異なる記録媒体のいずれをも円滑に搬送することができる媒体搬送装置およびそれを備えた印刷装置を提供することである。
【課題を解決するための手段】
【０００８】  本発明の媒体搬送装置は、少なくとも一部が曲がりながら搬送されるロール状記録媒体と、真っ直ぐに搬送される平板状記録媒体とを選択的に搬送可能な媒体搬送装置である。前記媒体搬送装置は、第１プラテンと、供給ローラと、第１搬送ローラと、第２搬送ローラと、を備えている。前記第１プラテンは、前記ロール状記録媒体が載置される。前記供給ローラは、前記ロール状記録媒体を前記第１プラテンに向かって送り出す。前記第１搬送ローラは、前記第１プラテンの後方に配置され、前記平板状記録媒体を前方または後方に搬送する。前記第２搬送ローラは、前記第１プラテンの前方に配置され、前記第１搬送ローラが前記平板状記録媒体を搬送する方向と同一の方向に前記平板状記録媒体を搬送する。前記供給ローラの中心は、前記第１搬送ローラの中心よりも下方に位置している。前記第１プラテンと前記第１搬送ローラとの間に、前記供給ローラから前記第１プラテンに送り出される前記ロール状記録媒体が通る第１搬送通路が形成されている。【０００９】  前記媒体搬送装置によれば、ロール状記録媒体を搬送する際、ロール状記録媒体を、第１搬送通路を通過させて搬送することができる。また、第１プラテンの後方に第１搬送ローラが配置され、第１プラテンの前方に第２搬送ローラが配置されている。そのため、第１搬送ローラと第２搬送ローラとの間において、真っ直ぐに搬送される平板状記録媒体を曲げることなく前方または後方に搬送することができる。よって、少なくとも一部が曲がりながら搬送されるロール状記録媒体、および、真っ直ぐに搬送される平板状記録媒体を円滑に搬送することができる。また、本発明の媒体搬送装置は、ロール状記録媒体を搬送する場合、および、平板状記録媒体を搬送する場合において、共に第１プラテン上の領域を通過する。そのため、搬送領域の一部を共有することができる。したがって、ロール状記録媒体を搬送する際の搬送領域と、平板状記録媒体を搬送する際の搬送領域とが全く異なる装置と比べて、装置を小型化することができる。
【発明の効果】
【００１０】  本発明によれば、種類が異なる記録媒体のいずれをも円滑に搬送することができる媒体搬送装置およびそれを備えた印刷装置を提供することができる。
【図面の簡単な説明】
【００１１】
【図１】図１は、第１実施形態に係る印刷装置の正面図である。
【図２】図２は、第１実施形態に係る印刷装置の正面図である。
【図３】図３は、印刷装置の主要要素を示すブロック図である。
【図４】図４は、図１のＩＶ−ＩＶ線断面図である。
【図５】図５は、媒体搬送装置の平面図である。
【図６】図６は、図１のＶＩ−ＶＩ線断面図である。
【図７】図７は、媒体搬送装置の平面図である。
【図８】図８は、第２実施形態に係る印刷装置の側面図である。
【図９】図９は、第３実施形態に係る印刷装置の側面図である。
【図１０】図１０は、第４実施形態に係る印刷装置の側面図である。
【図１１】図１１は、第４実施形態に係る印刷装置の主要要素を示すブロック図である。
【図１２】図１２は、第５実施形態に係る印刷装置の側面図である。
【発明を実施するための形態】
【００１２】  以下、本発明の実施形態に係る媒体搬送装置を備えた印刷装置について説明する。ここで説明される実施形態は、当然ながら特に本発明を限定することを意図したものではない。また、同じ作用を奏する部材・部位には同じ符号を付し、重複する説明は省略または簡略化する。
【００１３】  ＜第１実施形態＞  先ず、第１実施形態に係る印刷装置について説明する。図１および図２は、第１実施形態に係る印刷装置１Ａの正面図である。なお、図２は、図１の印刷装置１Ａから第２下側搬送ローラ６２および第２上側搬送ローラ６６を取り外した図である。図３は、印刷装置１Ａの主要要素を示すブロック図である。図４は、図１のＩＶ−ＩＶ線断面図である。図５は、印刷装置１Ａの媒体搬送装置３０Ａの平面図である。図４および図５では、媒体搬送装置３０Ａがロール状の記録媒体５Ａを搬送する状態を示している。以下の図面において、符号Ｆ、Ｒｒ、ＬおよびＲは、それぞれ前、後、左および右を示している。ただし、これらは説明の便宜上の方向に過ぎず、印刷装置１Ａの設置態様を何ら限定するものではない。また、符号Ｙは主走査方向を示している。ここでは、主走査方向Ｙとは、左右方向のことである。符号Ｘは、主走査方向Ｙと直交する副走査方向を示している。ここでは、副走査方向Ｘとは、前後方向のことである。ただし、主走査方向Ｙおよび副走査方向Ｘの各方向は特に限定されない。主走査方向Ｙおよび副走査方向Ｘは、印刷装置１Ａの形態などに応じて適宜に設定可能である。
【００１４】  本実施形態では、図１に示すように、印刷装置１Ａは、インクジェット式のプリンタである。印刷装置１Ａは、媒体搬送装置３０Ａを備えている。媒体搬送装置３０Ａの詳細な説明は後述する。印刷装置１Ａは、ロール状の記録媒体５Ａおよび平板状の記録媒体５Ｂ（図６参照）のうち何れか一方の媒体に印刷を行う。記録媒体５Ａは、少なくとも一部が曲がりながら搬送される記録媒体である。ここでは、記録媒体５Ａは、ロール状に巻かれた記録紙である。記録媒体５Ａは、いわゆるロール紙である。ただし、ロール状の記録媒体５Ａは、ロール紙に限定されない。例えば、記録媒体５Ａは、可撓性が高い材質、例えば、樹脂製の記録媒体であってもよい。記録媒体５Ｂは、真っ直ぐに搬送される記録媒体である。ここでは、記録媒体５Ｂは、記録媒体５Ａよりも剛性が高い材質で形成された平板状の媒体である。ここでは、剛性が高い材質とは、撓みにくい材質であり、例えば、ロール状に巻くことができない材質のことである。記録媒体５Ｂの平均厚みは、記録媒体５Ａの平均厚みよりも厚い。記録媒体５Ｂは、例えば、プラスチックまたはガラスなどによって形成されている。しかし、記録媒体５Ｂは、段ボールであってもよい。
【００１５】  図２に示すように、印刷装置１Ａは、ガイドレール１０を備えている。ガイドレール１０は、主走査方向Ｙに延びている。ガイドレール１０の左端部分の近傍には、駆動プーリ１１（図４参照）が配置されている。ガイドレール１０の右端部分の近傍には、従動プーリ（図示せず）が配置されている。駆動プーリ１１と上記従動プーリとには、無端状のベルト１３が巻き掛けられている。ここでは、図３に示すように、駆動プーリ１１には、サーボモータ１１ａが接続されている。このサーボモータ１１ａが駆動プーリ１１を駆動すると、駆動プーリ１１は回転し、駆動プーリ１１と上記従動プーリとの間においてベルト１３が走行する。
【００１６】  図４に示すように、ガイドレール１０には、キャリッジ１４が係合している。図示は省略するが、キャリッジ１４は、ベルト１３に取り付けられている。そのため、キャリッジ１４は、ベルト１３の走行に従って、ガイドレール１０に沿って主走査方向Ｙに移動する。
【００１７】  印刷装置１Ａは、記録ヘッド１５を備えている。記録ヘッド１５は、後述する第１プラテン３１の上方に配置されている。記録ヘッド１５の後部には、キャリッジ１４が取り付けられている。記録ヘッド１５は、キャリッジ１４と共に、ガイドレール１０に沿って主走査方向Ｙに移動する。記録ヘッド１５は、後述する第１プラテン３１および第２プラテン５２よりも上方に配置されている。記録ヘッド１５は、下方に向かってインクを吐出する。ここでは、図示は省略するが、記録ヘッド１５は、下方に開いた複数のノズルを備えている。これらノズルからインクが吐出される。このインクの種類は何ら限定されない。このインクは、紫外線が照射されると硬化するインク（いわゆるＵＶインク）、溶剤インクなどであってもよい。
【００１８】  次に、媒体搬送装置３０Ａについて説明する。媒体搬送装置３０Ａは、印刷装置１Ａ内に設けられている。媒体搬送装置３０Ａは、ロール状の記録媒体５Ａおよび平板状の記録媒体５Ｂ（図６参照）を搬送する装置である。本実施形態では、媒体搬送装置３０Ａは、記録媒体５Ａ、５Ｂを搬送方向Ｘ１、すなわち、前方に向かって搬送する。ここでは、図６の左側を前方と便宜上定義している。しかし、「前方」は、特に本発明を限定するものではない。ここでは、先ず、媒体搬送装置３０Ａにおけるロール状の記録媒体５Ａを搬送する構成について説明する。その後、平板状の記録媒体５Ｂを搬送する構成について説明する。
【００１９】  媒体搬送装置３０Ａは、ロール状の記録媒体５Ａを搬送方向Ｘ１に搬送する。ここでは、搬送方向Ｘ１は、副走査方向Ｘのうち後方から前方に向かう方向である。媒体搬送装置３０Ａは、第１プラテン３１と、グリッドローラ３２と、ピンチローラ３３とを備えている。図５に示すように、第１プラテン３１には、ロール状の記録媒体５Ａが載置される。記録媒体５Ａへの印刷は、第１プラテン３１上で行われる。第１プラテン３１は、ガイドレール１０の中央部の下方に配置されている。図２に示すように、第１プラテン３１は、主走査方向Ｙに延びている。図４に示すように、第１プラテン３１の前側部分は、前斜め下向きに傾斜している。第１プラテン３１の後側部分は、後斜め下向きに傾斜している。
【００２０】  グリッドローラ３２は、第１プラテン３１に設けられている。本実施形態では、グリッドローラ３２は第１プラテン３１に埋設されている。グリッドローラ３２の上端部は、第１プラテン３１から露出している。グリッドローラ３２は、ロール状の記録媒体５Ａを前方、すなわち、搬送方向Ｘ１の上流側から下流側に向かって搬送する。ここでは、図３に示すように、グリッドローラ３２には、駆動モータ３２ａが接続されている。駆動モータ３２ａが駆動することによって、グリッドローラ３２は回転する。図４に示すように、グリッドローラ３２の上方には、ピンチローラ３３が配置されている。ピンチローラ３３は、上下に移動可能に構成されている。ここでは、図３に示すように、ピンチローラ３３には、駆動モータ３３ａが接続されている。駆動モータ３３ａが駆動することによって、ピンチローラ３３は上下方向に移動する。例えば、ピンチローラ３３と駆動モータ３３ａとの間には、カム機構（図示せず）が設けられている。このカム機構を介してピンチローラ３３は上下方向に移動する。ピンチローラ３３が下方に移動すると、ロール状の記録媒体５Ａはグリッドローラ３２とピンチローラ３３との間に挟まれる。記録媒体５Ａがグリッドローラ３２とピンチローラ３３との間に挟まれた状態でグリッドローラ３２が回転することにより、記録媒体５Ａは前方に搬送される。なお、本実施形態では、ピンチローラ３３に接続された駆動モータ３３ａが本発明の「移動機構」に対応する。図５において、グリッドローラ３２およびピンチローラ３３は、省略されている。
【００２１】  図４に示すように、媒体搬送装置３０Ａは、ロール状の記録媒体５Ａを供給する供給ローラ３５を備えている。供給ローラ３５は、記録媒体５Ａを第１プラテン３１に向かって送り出す。図２に示すように、供給ローラ３５は、主走査方向Ｙに延びる円筒形状または円柱形状に形成されている。図４に示すように、供給ローラ３５は、第１プラテン３１における搬送方向Ｘ１の上流側の下方に設けられている。換言すると、供給ローラ３５は、第１プラテン３１よりも後方かつ下方に配置されている。供給ローラ３５は第１プラテン３１の後斜め下に配置されている。ここでは、供給ローラ３５には、印刷前の記録媒体５Ａが巻かれている。図２に示すように、供給ローラ３５の左端部は左ガイド板３６Ｌに回転可能に支持されている。供給ローラ３５の右端部は右ガイド板３６Ｒに回転可能に支持されている。図４に示すように、供給ローラ３５は、回転軸Ｌ１１を中心に回転する。媒体搬送装置３０Ａは、供給ローラ３５を回転させるモータを備えていてもよい。しかし、本実施形態では、供給ローラ３５を回転させるモータは備えられていない。供給ローラ３５は、記録媒体５Ａを第１プラテン３１に向かって搬送する。ここでは、グリッドローラ３２が記録媒体５Ａを前方に搬送することにより、記録媒体５Ａは供給ローラ３５から送り出される。
【００２２】  なお、図４の仮想線で示すように、第１プラテン３１の前斜め下には、記録媒体５Ａの乾燥を促進するヒータ３７が設けられていてもよい。印刷後の記録媒体５Ａをヒータ３７で加熱することにより、記録媒体５Ａ上のインクを素早く硬化させることができ、印刷の品質を向上させることができる。
【００２３】  媒体搬送装置３０Ａは、記録媒体５Ａを巻き取る巻き取りローラ３８と、記録媒体５Ａに張力を与えるテンションバー４１とを備えている。図１に示すように、巻き取りローラ３８は、主走査方向Ｙに延びる円筒形状または円柱形状に形成されている。図４に示すように、巻き取りローラ３８は、搬送方向Ｘ１の下流側に設けられている。巻き取りローラ３８は、第１プラテン３１よりも下方に配置されている。ここでは、図１に示すように、巻き取りローラ３８の左端部は、左側壁４３Ｌに回転可能に支持されている。巻き取りローラ３８の右端部は、右側壁４３Ｒに回転可能に支持されている。巻き取りローラ３８は、左側壁４３Ｌと右側壁４３Ｒとに支持された支持部３８ａと、支持部３８ａよりも直径が大きい筒部３８ｂとを備えている。記録媒体５Ａは、筒部３８ｂに巻き取られる。支持部３８ａと筒部３８ｂとは一体に形成されていてもよいし、別体に形成されていてもよい。図３に示すように、巻き取りローラ３８には、駆動モータ３８ｃが接続されている。巻き取りローラ３８は、駆動モータ３８ｃの駆動力を受けて回転することで、第１プラテン３１上を通過した記録媒体５Ａを巻き取る。なお、巻き取りローラ３８は、主走査方向Ｙに伸縮自在なように構成されていてもよい。このことによって、記録媒体５Ａの左右の幅に応じて、巻き取りローラ３８の主走査方向Ｙの長さを適宜変更することができる。
【００２４】  テンションバー４１は、主走査方向Ｙに延びる円筒形状または円柱形状に形成されている。テンションバー４１は、巻き取りローラ３８に対して平行に配置されている。本実施形態では、テンションバー４１は回転不能に構成されている。しかし、テンションバー４１は、回転可能に構成されていてもよい。テンションバー４１は、記録媒体５Ａの移動に伴って回転するテンションローラによって構成されていてもよい。図４に示すように、テンションバー４１は、第１プラテン３１よりも下方に配置されている。テンションバー４１は、第１プラテン３１および巻き取りローラ３８よりも前方に配置されている。
【００２５】  本実施形態では、図１に示すように、テンションバー４１の左端部には、左側支持アーム４４Ｌが設けられている。左側支持アーム４４Ｌは、左側壁４３Ｌの左方に配置された左側支持板４５Ｌに揺動可能に支持されている。同様に、テンションバー４１の右端部には、右側支持アーム４４Ｒが設けられている。右側支持アーム４４Ｒは、右側壁４３Ｒの右方に配置された右側支持板４５Ｒに揺動可能に支持されている。このことによって、テンションバー４１は、前後方向に揺動可能となっている。
【００２６】  次に、媒体搬送装置３０Ａが平板状の記録媒体５Ｂを搬送する構成について説明する。図６は、図１のＶＩ−ＶＩ線断面図である。図７は、媒体搬送装置３０Ａの平面図である。図６および図７では、媒体搬送装置３０Ａが平板状の記録媒体５Ｂを搬送する状態を示している。図６に示すように、媒体搬送装置３０Ａは、平板状の記録媒体５Ｂを搬送方向Ｘ１に搬送する。本実施形態では、ロール状の記録媒体５Ａが搬送される方向、および、平板状の記録媒体５Ｂが搬送される方向は、共に搬送方向Ｘ１、すなわち、後方から前方に向かう方向である。ただし、ロール状の記録媒体５Ａが搬送される方向と、平板状の記録媒体５Ｂが搬送される方向とは、異なっていてもよい。媒体搬送装置３０Ａは、第２プラテン５２を備えている。第２プラテン５２には、平板状の記録媒体５Ｂが載置される。第２プラテン５２は、第１プラテン３１の上面に着脱可能に設けられている。ロール状の記録媒体５Ａへ印刷する際には、第２プラテン５２は、第１プラテン３１から取り外される。平板状の記録媒体５Ｂへ印刷する際には、第２プラテン５２は、第１プラテン３１に取り付けられる。平板状の記録媒体５Ｂへの印刷は、第２プラテン５２上で行われる。なお、第２プラテン５２が第１プラテン３１に取り付けられた際、ピンチローラ３３に接続された駆動モータ３３ａ（図３参照）が駆動することによって、ピンチローラ３３は第２プラテン５２よりも上方に移動するように構成されている。
【００２７】  本実施形態では、図７に示すように、第２プラテン５２には、複数の吸引孔５３が形成されている。図７には図示されていないが、複数の吸引孔５３は、第２プラテン５２の中央部部分にも形成されている。第２プラテン５２の下方には、吸引装置（図示せず）が設けられている。この吸引装置は、第２プラテン５２の下面に設けられていてもよいし、第１プラテン３１の下方に設けられていてもよい。この吸引装置は、平板状の記録媒体５Ｂが第２プラテン５２に載置された状態において、複数の吸引孔５３を通じて記録媒体５Ｂを吸引する。吸引された記録媒体５Ｂは、第２プラテン５２に密着する。このことによって、平板状の記録媒体５Ｂに歪んだ画像が印刷されることを防止することができる。
【００２８】  媒体搬送装置３０Ａは、第１下側搬送ローラ６１と、第２下側搬送ローラ６２とを備えている。第１下側搬送ローラ６１および第２下側搬送ローラ６２は、平板状の記録媒体５Ｂを搬送するローラである。第１下側搬送ローラ６１は、主走査方向Ｙに延びる円筒形状または円柱形状に形成されている。図６に示すように、第１下側搬送ローラ６１は、第２プラテン５２が第１プラテン３１に取り付けられた状態において、第２プラテン５２における搬送方向Ｘ１の上流側に設けられている。第１下側搬送ローラ６１は、第２プラテン５２よりも後方に設けられている。第１下側搬送ローラ６１は、第１プラテン３１よりも後方に設けられている。第１下側搬送ローラ６１は、供給ローラ３５および巻き取りローラ３８よりも上方に配置されている。第１下側搬送ローラ６１の中心Ｃ２１（回転軸Ｌ２１）は、供給ローラ３５の中心Ｃ１１（回転軸Ｌ１１）および巻き取りローラ３８の中心Ｃ１２（回転軸Ｌ１２）よりも上方に位置している。また、第１下側搬送ローラ６１の中心Ｃ２１は、供給ローラ３５の中心Ｃ１１よりも後方に位置している。
【００２９】  第１下側搬送ローラ６１の左端部は、第１プラテン３１の左方に配置された左ガイド板６３Ｌ（図７参照）に回転可能に支持されている。第１下側搬送ローラ６１の右端部は、第１プラテン３１の右方に配置された右ガイド板６３Ｒ（図７参照）に回転可能に支持されている。本実施形態では、図３に示すように、第１下側搬送ローラ６１には、駆動モータ６４が接続されている。駆動モータ６４が駆動することによって、図６に示すように、第１下側搬送ローラ６１は回転軸Ｌ２１を中心に回転する。すなわち、第１下側搬送ローラ６１は、自ら駆動するローラである。第１下側搬送ローラ６１は、第１プラテン３１の上方に配置された第２プラテン５２に向かって平板状の記録媒体５Ｂを搬送する。ここでは、第１下側搬送ローラ６１の少なくとも表面はゴム製である。このことによって、記録媒体５Ｂが第１下側搬送ローラ６１上で滑ることなく、記録媒体５Ｂを搬送することができる。なお、本実施形態では、第１下側搬送ローラ６１が本発明の「第１搬送ローラ」に対応する。
【００３０】  本実施形態では、第１下側搬送ローラ６１の上方には、第１上側搬送ローラ６５が配置されている。図７に示すように、第１上側搬送ローラ６５は、主走査方向Ｙに延びる円筒形状または円柱形状に形成されている。第１上側搬送ローラ６５は、第１下側搬送ローラ６１と平行になるように配置されている。第１上側搬送ローラ６５の左端部は、左ガイド板６３Ｌに回転可能に支持されている。第１上側搬送ローラ６５の右端部は、右ガイド板６３Ｒに回転可能に支持されている。ここでは、第１上側搬送ローラ６５には、回転させる駆動モータは接続されていない。すなわち、第１上側搬送ローラ６５は、自ら回転しない従動ローラである。図６に示すように、平板状の記録媒体５Ｂは、第１下側搬送ローラ６１と第１上側搬送ローラ６５との間に挟まれる。記録媒体５Ｂが第１下側搬送ローラ６１と第１上側搬送ローラ６５の間に挟まれた状態で第１下側搬送ローラ６１が自ら回転することによって、記録媒体５Ｂは前方に搬送される。また、第１上側搬送ローラ６５は、上下方向に移動可能である。
【００３１】  第２下側搬送ローラ６２は、主走査方向Ｙに延びる円筒形状または円柱形状に形成されている。第２下側搬送ローラ６２は、第２プラテン５２が第１プラテン３１に取り付けられた状態において、第２プラテン５２における搬送方向Ｘ１の下流側に設けられている。第２下側搬送ローラ６２は、第２プラテン５２よりも前方に設けられている。第２下側搬送ローラ６２は、第１プラテン３１よりも前方に設けられている。第２下側搬送ローラ６２は、供給ローラ３５および巻き取りローラ３８よりも上方に配置されている。第２下側搬送ローラ６２の中心Ｃ２２（回転軸Ｌ２２）は、供給ローラ３５の中心Ｃ１１（回転軸Ｌ１１）および巻き取りローラ３８の中心Ｃ１２（回転軸Ｌ１２）よりも上方に位置している。また、第２下側搬送ローラ６２は、巻き取りローラ３８よりも搬送方向Ｘ１の下流側、すなわち、巻き取りローラ３８よりも前方に配置されている。第２下側搬送ローラ６２の中心Ｃ２２（回転軸Ｌ２２）は、巻き取りローラ３８の中心Ｃ１２（回転軸Ｌ１２）よりも前方に位置している。
【００３２】  ここでは、図４に示すように、第１下側搬送ローラ６１の回転軸Ｌ２１と第２下側搬送ローラ６２の回転軸Ｌ２２とは、同一平面上（図４では、直線Ｌ２上を通る平面状）に位置している。第１下側搬送ローラ６１と第２下側搬送ローラ６２とは互いが平行になるように配置されている。ただし、記録媒体５Ｂが真っ直ぐに搬送される程度のものであれば、第１下側搬送ローラ６１と第２下側搬送ローラ６２とが互いに多少傾いた場合であっても、「平行」であるとする。第１下側搬送ローラ６１および第２下側搬送ローラ６２の軸方向から見たときに、第１下側搬送ローラ６１の上端と第２下側搬送ローラ６２の上端とを結ぶ直線Ｌ１は、第１プラテン３１および第２プラテン５２の上面と平行である。直線Ｌ１は、第２プラテン５２の上面と略一致する。第１下側搬送ローラ６１および第２下側搬送ローラ６２の軸方向から見たときに、直線Ｌ１は、第１プラテン３１の上面およびグリッドローラ３２の上端よりも上方に位置する。ここでは、直線Ｌ１は、水平面に含まれる直線である。第１下側搬送ローラ６１の上端、および、第２下側搬送ローラ６２の上端を通る水平面は、第１プラテン３１の上面よりも上方に位置している。なお、ロール状の記録媒体５Ａを搬送する際、グリッドローラ３２の少なくとも一部（例えば、上端）が、第１下側搬送ローラ６１の上端、および、第２下側搬送ローラ６２の上端を通る水平面よりも上方に位置してもよい。そして、平板状の記録媒体５Ｂを搬送する際には、グリッドローラ３２を下降させることによって、グリッドローラ３２が第１下側搬送ローラ６１の上端、および、第２下側搬送ローラ６２の上端を通る水平面よりも下方に位置してもよい。また、第１下側搬送ローラ６１および第２下側搬送ローラ６２の軸方向から見たときに、第１下側搬送ローラ６１の上端と第２下側搬送ローラ６２の上端とを結ぶ直線Ｌ１は、記録ヘッド１５の下面よりも下方に位置する。
【００３３】  第２下側搬送ローラ６２の左端部は、第１プラテン３１の左方に配置された左ガイド板６７Ｌ（図７参照）に回転可能に支持されている。第２下側搬送ローラ６２の右端部は、第１プラテン３１の右方に配置された右ガイド板６７Ｒ（図７参照）に回転可能に支持されている。本実施形態では、図３に示すように、第２下側搬送ローラ６２には、駆動モータ６８が接続されている。駆動モータ６８が駆動することによって、図６に示すように、第２下側搬送ローラ６２は回転軸Ｌ２２を中心に回転する。すなわち、第２下側搬送ローラ６２は、自ら駆動するローラである。第２下側搬送ローラ６２は、平板状の記録媒体５Ｂを第２プラテン５２から搬送方向Ｘ１の下流側に向かって搬送する。ここでは、第２下側搬送ローラ６２は、記録媒体５Ｂを前方に向かって搬送する。第２下側搬送ローラ６２の表面はゴム製である。このことによって、記録媒体５Ｂが第２下側搬送ローラ６２上で滑ることなく、記録媒体５Ｂを搬送することができる。なお、本実施形態では、第２下側搬送ローラ６２が本発明の「第２搬送ローラ」に対応する。
【００３４】  本実施形態では、第２下側搬送ローラ６２の上方には、第２上側搬送ローラ６６が配置されている。図７に示すように、第２上側搬送ローラ６６は、主走査方向Ｙに延びる円筒形状または円柱形状に形成されている。第２上側搬送ローラ６６は、第２下側搬送ローラ６２と平行になるように配置されている。第２上側搬送ローラ６６の左端部は、左ガイド板６７Ｌに回転可能に支持されている。第２上側搬送ローラ６６の右端部は、右ガイド板６７Ｒに回転可能に支持されている。ここでは、第２上側搬送ローラ６６には、回転させる駆動モータは接続されていない。すなわち、第２上側搬送ローラ６６は、自ら回転しない従動ローラである。図６に示すように、平板状の記録媒体５Ｂは、第２下側搬送ローラ６２と第２上側搬送ローラ６６との間に挟まれる。記録媒体５Ｂが第２下側搬送ローラ６２と第２上側搬送ローラ６６の間に挟まれた状態で第２下側搬送ローラ６２が自ら回転することによって、記録媒体５Ｂは更に前方に搬送される。ここでは、第２上側搬送ローラ６６は、上下方向に移動可能である。
【００３５】  本実施形態では、図４に示すように、第１プラテン３１と第１下側搬送ローラ６１との間、第１プラテン３１上、および、第１プラテン３１と第２下側搬送ローラ６２との間には、ロール状の記録媒体５Ａが通過するロール媒体用搬送通路７１が設けられている。なお、ロール媒体用搬送通路７１は、本発明の「第１搬送通路」および「第２搬送通路」に対応する。また、図６に示すように、第１下側搬送ローラ６１と第１上側搬送ローラ６５との間、第２プラテン５２上、および、第２下側搬送ローラ６２と第２上側搬送ローラ６６との間には、平板状の記録媒体５Ｂが通過する平板用搬送通路７２が設けられている。
【００３６】  図３に示すように、印刷装置１Ａは、制御装置８０を備えている。制御装置８０は、マイクロコンピュータからなっており、印刷装置１Ａの内部に設けられている。制御装置８０は、ベルト１３が巻き掛けられた駆動プーリ１１に接続されたサーボモータ１１ａと、グリッドローラ３２に接続された駆動モータ３２ａと、ピンチローラ３３に接続された駆動モータ３３ａと、第１下側搬送ローラ６１に接続された駆動モータ６４と、第２下側搬送ローラ６２に接続された駆動モータ６８と、記録ヘッド１５とを制御する。制御装置８０は、サーボモータ１１ａを制御することで、ベルト１３（図２参照）の走行を制御する。制御装置８０は、駆動モータ３２ａを制御することで、ロール状の記録媒体５Ａの搬送を制御する。制御装置８０は、駆動モータ３３ａを制御することで、ピンチローラ３３の上下方向の移動を制御する。ただし、ピンチローラ３３は、駆動モータ３３ａを介して制御装置８０に接続されていなくてもよい。また、ピンチローラ３３は、作業者が手動で上下方向に移動させることができるような構成であってもよい。
【００３７】  また、制御装置８０は、駆動モータ６４を制御することで第１下側搬送ローラ６１の回転を制御し、かつ、駆動モータ６８を制御することで第２下側搬送ローラ６２の回転を制御し、平板状の記録媒体５Ｂの搬送を制御する。このように、第１下側搬送ローラ６１および第２下側搬送ローラ６２を駆動させることで、平板状の記録媒体５Ｂの上流端および下流端への印刷、いわゆる縁無し印刷が可能となる。しかし、第１下側搬送ローラ６１および第２下側搬送ローラ６２のうち何れか一方のローラのみを駆動させてもよい。また、制御装置８０は、記録ヘッド１５のインクの吐出動作を制御する。
【００３８】  また、制御装置８０は、第１上側搬送ローラ６５に接続された駆動モータ６５ａと、第２上側搬送ローラ６６に接続された駆動モータ６６ａと、検出センサ６９ａ、６９ｂとに接続されている。制御装置８０によって駆動モータ６５ａが駆動することで、第１上側搬送ローラ６５が上下方向に移動する。同様に、制御装置８０によって駆動モータ６６ａが駆動することで、第２上側搬送ローラ６６が上下方向に移動する。また、検出センサ６９ａ、６９ｂは、それぞれ第１下側搬送ローラ６１および第２下側搬送ローラ６２上に平板状の記録媒体５Ｂが配置されているか否かを検出する位置センサである。
【００３９】  次に、媒体搬送装置３０Ａの動作について説明する。図４に示すように、ロール状の記録媒体５Ａを搬送する場合、記録媒体５Ａがグリッドローラ３２とピンチローラ３３とに挟まれた状態において、制御装置８０によって、駆動モータ３２ａが駆動してグリッドローラ３２が回転する。グリッドローラ３２が回転すると、記録媒体５Ａは前方、すなわち、搬送方向Ｘ１に搬送される。このとき、供給ローラ３５から供給された記録媒体５Ａは、ロール媒体用搬送通路７１を通る。詳しくは、供給ローラ３５から供給された記録媒体５Ａは、供給ローラ３５から第１プラテン３１に向かって搬送される。そして、記録媒体５Ａは、第１プラテン３１上で、記録ヘッド１５からインクが吐出されることで印刷される。印刷された記録媒体５Ａは、第１プラテン３１からテンションバー４１の前側を通って、巻き取りローラ３８に巻き取られる。本実施形態では、グリッドローラ３２およびテンションバー４１によって、ロール状の記録媒体５Ａは、張った状態で搬送される。
【００４０】  図６に示すように、平板状の記録媒体５Ｂを搬送する場合、先ず、第１プラテン３１の上に第２プラテン５２を取り付ける。このとき、制御装置８０によって駆動モータ３３ａを制御することで、ピンチローラ３３を第２プラテン５２よりも上方に移動させる。また、平板状の記録媒体５Ｂを印刷装置１Ａにセットする前の状態において、第１上側搬送ローラ６５および第２上側搬送ローラ６６は、それぞれ第１下側搬送ローラ６１および第２下側搬送ローラ６２から上方に隔離するように上方に移動している。このとき、第１下側搬送ローラ６１と第１上側搬送ローラ６５との間、および、第２下側搬送ローラ６２と第２上側搬送ローラ６６との間には、平板状の記録媒体５Ｂの厚み以上の間隔が確保されている。
【００４１】  このような状態において、作業者は、第１下側搬送ローラ６１と第１上側搬送ローラ６５との間に、平板状の記録媒体５Ｂを挿し込む。このとき、検出センサ６９ａによって、第１下側搬送ローラ６１と第１上側搬送ローラ６５との間に、平板状の記録媒体５Ｂが配置されていると検出されると、駆動モータ６５ａによって第１上側搬送ローラ６５が下降する。そして、第１下側搬送ローラ６１と第１上側搬送ローラ６５とによって、平板状の記録媒体５Ｂが挟み込まれる。平板状の記録媒体５Ｂが第１下側搬送ローラ６１と第１上側搬送ローラ６５とに挟まれた状態において、第１下側搬送ローラ６１が駆動して回転する。第１下側搬送ローラ６１が回転すると、記録媒体５Ｂは第２プラテン５２上に搬送される。
【００４２】  記録媒体５Ｂは、第２プラテン５２上で、記録ヘッド１５からインクが吐出されることで印刷される。このとき、第２プラテン５２に形成された吸引孔５３（図７参照）を介して、第２プラテン５２の下方に設けられた吸引装置（図示せず）によって、記録媒体５Ｂは吸引される。そのため、記録媒体５Ｂが第２プラテン５２に密着するため、歪んだ画像が記録媒体５Ｂに印刷されることを防ぐことができる。印刷された記録媒体５Ｂは、第１下側搬送ローラ６１によって、更に前方へ搬送される。その後、記録媒体５Ｂは、第２下側搬送ローラ６２上に移動する。
【００４３】  このとき、検出センサ６９ｂによって、第２下側搬送ローラ６２と第２上側搬送ローラ６６との間に、記録媒体５Ｂが配置されていると検出されると、駆動モータ６６ａによって第２上側搬送ローラ６６が下降する。そして、第２下側搬送ローラ６２と第２上側搬送ローラ６６とによって、記録媒体５Ｂが挟み込まれる。これによって、下側搬送ローラ６１、６２および上側搬送ローラ６５、６６によって、記録媒体５Ｂは、更に前方に搬送される。その後、検出センサ６９ａによって、記録媒体５Ｂが第１下側搬送ローラ６１と第１上側搬送ローラ６５との間に位置していないことが検出されると、駆動モータ６５ａによって第１上側搬送ローラ６５が上昇する。その後、平板状の記録媒体５Ｂは、第２下側搬送ローラ６２と第２上側搬送ローラ６６とによって、更に前方に搬送される。
【００４４】  以上のように、本実施形態では、図４に示すように、グリッドローラ３２、供給ローラ３５、巻き取りローラ３８およびテンションバー４１によって、ロール状の記録媒体５Ａが第１プラテン３１上で張った状態で、記録媒体５Ａを円滑に搬送方向Ｘ１に搬送することができる。よって、歪んだ画像を記録媒体５Ａに印刷することを防止することができる。また、記録媒体５Ａを搬送する際、記録媒体５Ａは、ロール媒体用搬送通路７１を通る。そのため、記録媒体５Ａを搬送する際、記録媒体５Ａが第１下側搬送ローラ６１および第２下側搬送ローラ６２に接触することを防止することができる。
【００４５】  一方、図６に示すように、第１プラテン３１の後方には第１下側搬送ローラ６１が配置されている。第１プラテン３１の前方には第２下側搬送ローラ６２が配置されている。ここでは、第１下側搬送ローラ６１と第２下側搬送ローラ６２とは、互いが平行になるように配置されている。第１下側搬送ローラ６１の軸方向から見たとき、第１下側搬送ローラ６１の上端を通る水平面（図４では、直線Ｌ１）は、第１プラテン３１の上面よりも上方に位置している。そのため、第１下側搬送ローラ６１と第２下側搬送ローラ６２との間、すなわち、第１プラテン３１の上方において、平板状の記録媒体５Ｂを曲げることなく前方に搬送することができる。よって、本実施形態に係る媒体搬送装置３０Ａでは、ロール状の記録媒体５Ａおよび平板状の記録媒体５Ｂを円滑に搬送することができる。
【００４６】  また、本実施形態に係る媒体搬送装置３０Ａは、ロール状の記録媒体５Ａを搬送する場合、および、平板状の記録媒体５Ｂを搬送する場合において、平面視において、共に第１プラテン３１上の同じ領域を通過する。そのため、搬送領域の一部を共有することができる。したがって、ロール状の記録媒体５Ａを搬送する際の搬送領域と、平板状の記録媒体５Ｂを搬送する際の搬送領域とが全く異なる装置と比べて、装置を小型化することができる。
【００４７】  本実施形態では、図６に示すように、第１下側搬送ローラ６１および第２下側搬送ローラ６２の軸方向から見たときに、第１下側搬送ローラ６１の上端と第２下側搬送ローラ６２の上端とを結ぶ直線Ｌ１（本実施形態では、第１下側搬送ローラ６１の上端、および、第２下側搬送ローラ６２の上端を通る水平面）は、グリッドローラ３２よりも上方に位置している。平板状の記録媒体５Ｂが載置される第２プラテン５２は、第１プラテン３１上に取り付けられる。このことによって、平板状の記録媒体５Ｂを搬送する際、記録媒体５Ｂがグリッドローラ３２に接触することを防止することができる。
【００４８】  本実施形態では、第１プラテン３１の上面は、第１下側搬送ローラ６１および第２下側搬送ローラ６２の軸方向から見たときに、第１下側搬送ローラ６１の上端と第２下側搬送ローラ６２の上端とを結ぶ直線Ｌ１よりも下方に配置されている。このことによって、平板状の記録媒体５Ｂを搬送する際、記録媒体５Ｂが第１プラテン３１に接触することを防止することができる。
【００４９】  また、本実施形態では、第１下側搬送ローラ６１の中心Ｃ２１および第２下側搬送ローラ６２の中心Ｃ２２は、供給ローラ３５の中心Ｃ１１および巻き取りローラ３８の中心Ｃ１２よりも上方に配置されている。供給ローラ３５の中心Ｃ１１は、第１下側搬送ローラ６１の中心Ｃ２１よりも前方、すなわち、中心Ｃ２１よりも搬送方向Ｘ１の下流側に設けられている。巻き取りローラ３８の中心Ｃ１２は、第２下側搬送ローラ６２の中心Ｃ２２よりも後方、すなわち、中心Ｃ２２よりも搬送方向Ｘ１の上流側に設けられている。このことによって、ロール状の記録媒体５Ａを搬送する際、記録媒体５Ａが第１下側搬送ローラ６１および第２下側搬送ローラ６２に接触することを防止することができる。また、平板状の記録媒体５Ｂを搬送する際、記録媒体５Ｂが供給ローラ３５および巻き取りローラ３８に接触することを防止することができる。
【００５０】  本実施形態では、第２プラテン５２は、第１プラテン３１上に着脱可能に設けられている。このことによって、搬送する記録媒体の対象をロール状の記録媒体５Ａから平板状の記録媒体５Ｂに切り替える際、第２プラテン５２を第１プラテン３１上に取り付ければよい。一方、搬送する記録媒体の対象を平板状の記録媒体５Ｂからロール状の記録媒体５Ａに切り替える際、第２プラテン５２を第１プラテン３１から取り外せばよい。よって、第２プラテン５２を第１プラテン３１から着脱するという簡単な構成で、搬送する記録媒体の対象を容易に切り替えることができる。
【００５１】  本実施形態では、第２プラテン５２を第１プラテン３１上に取り付けた際、制御装置８０によって駆動モータ３３ａが駆動することで、駆動モータ３３ａに接続されたピンチローラ３３は、第２プラテン５２よりも上方へ移動する。このとき、ピンチローラ３３は、第１下側搬送ローラ６１の上端と第２下側搬送ローラ６２の上端とを結ぶ直線Ｌ１（図４参照）よりも上方に位置する。このことによって、平板状の記録媒体５Ｂを搬送する際、記録媒体５Ｂがピンチローラ３３に接触することを防止することができる。
【００５２】  例えば、第１下側搬送ローラ６１および第２下側搬送ローラ６２のうち一方が駆動もデータによって駆動される駆動ローラであり、他方が駆動モータによって駆動されない従動ローラの場合、駆動ローラ上に平板状の記録媒体５Ｂが載っていない状態では、記録媒体５Ｂを搬送することができない。しかし、本実施形態では、図３に示すように、第１下側搬送ローラ６１は、駆動モータ６４が駆動することによって自ら回転する。第２下側搬送ローラ６２は、駆動モータ６８が駆動することによって自ら回転する。よって、第１下側搬送ローラ６１および第２下側搬送ローラ６２の何れか一方に平板状の記録媒体５Ｂが載っていない状態であっても、記録媒体５Ｂを搬送方向Ｘ１に搬送することができる。
【００５３】  例えば、第２下側搬送ローラ６２が自ら回転しない従動ローラの場合において平板状の記録媒体５Ｂを搬送する際、記録媒体５Ｂは、第１下側搬送ローラ６１と第１上側搬送ローラ６５とに挟まれた状態において搬送される。記録媒体５Ｂの後部が第１下側搬送ローラ６１よりも前方に搬送された場合、記録媒体５Ｂは搬送されない。そのため、記録媒体５Ｂの後部は、第２プラテン５２上に移動しないため、記録ヘッド１５によってインクが吐出されない。よって、このような構成では、縁無し印刷ができない。しかし、本実施形態では、第１下側搬送ローラ６１および第２下側搬送ローラ６２は、駆動ローラである。よって、記録媒体５Ｂの後部が第１下側搬送ローラ６１よりも前方に搬送された場合であっても、第２下側搬送ローラ６２によって、記録媒体５Ｂは、搬送方向Ｘ１に搬送される。よって、本実施形態では、縁無し印刷を行うことができる。
【００５４】  以上、第１実施形態に係る媒体搬送装置３０Ａを備えた印刷装置１Ａについて説明した。本発明に係る印刷装置は、第１実施形態に係る印刷装置１Ａに限らず、他の種々の形態で実施することができる。次に、他の実施形態について簡単に説明する。なお、以下の説明では、既に説明した構成と同様の構成には同じ符号を使用し、その説明は省略することとする。
【００５５】  ＜第２実施形態＞  第１実施形態では、第１プラテン３１から、前方、すなわち、搬送方向Ｘ１の下流側に向かって搬送されたロール状の記録媒体５Ａは、巻き取りローラ３８に巻き取られていた。しかし、この巻き取りローラ３８は省略してもよい。
【００５６】  図８は、第２実施形態に係る印刷装置１Ｂの側面図である。図８に示すように、印刷装置１Ｂの媒体搬送装置３０Ｂは、第１プラテン３１上を通過したロール状の記録媒体５Ａが巻き取られる機構を備えていない。言い換えると、媒体搬送装置３０Ｂは、第１実施形態の媒体搬送装置３０Ａが備えていた巻き取りローラ３８、および、テンションバー４１などを備えていない。
【００５７】  本実施形態では、ロール状の記録媒体５Ａを搬送する場合、供給ローラ３５から供給された記録媒体５Ａは、グリッドローラ３２とピンチローラ３３とに挟まれた状態で、供給ローラ３５から第１プラテン３１に向かって搬送される。そして、記録媒体５Ａは、第１プラテン３１上で、記録ヘッド１５からインクが吐出された後、更に前方に搬送される。第１プラテン３１上を通過して更に前方に搬送された記録媒体５Ａは、印刷装置１Ｂが配置された床の上などに搬送される。
【００５８】  本実施形態であっても、ロール状の記録媒体５Ａを、グリッドローラ３２とピンチローラ３３とによって、前方に円滑に搬送することができる。
【００５９】  ＜第３実施形態＞  上記各実施形態では、供給ローラ３５は、第１プラテン３１の後方かつ下方に設けられていた。しかし、供給ローラ３５の配置箇所は、第１プラテン３１の後方かつ下方に限定されない。
【００６０】  次に、第３実施形態に係る印刷装置１Ｃについて説明する。図９は、第３実施形態に係る印刷装置１Ｃの側面図である。図９に示すように、第１プラテン３１の後部は、略直線状に形成されている。ロール状の記録媒体５Ａを供給する供給ローラ３５の中心Ｃ１１は、第１下側搬送ローラ６１の中心Ｃ２１および第２下側搬送ローラ６２の中心Ｃ２２よりも上方に位置している。ここでは、供給ローラ３５の下端は、第１下側搬送ローラ６１の上端、および、第２下側搬送ローラ６２の上端よりも上方に位置している。供給ローラ３５は、第１プラテン３１の後方かつ上方に設けられている。本実施形態では、第１プラテン３１の左方に配置された左ガイド板６３Ｌには、接続部材３９Ｌが設けられている。接続部材３９Ｌは、左ガイド板６３Ｌから後方に延び、かつ、その後方に延びた端から上方に向かって延びた略Ｌ字形状を有している。接続部材３９Ｌの上部には、左ガイド板３６Ｌが設けられている。なお、図示は省略するが、第１プラテン３１の右方に配置された右ガイド板６３Ｒには、接続部材３９Ｌと同様の接続部材が設けられており、この接続部材には、左ガイド板３６Ｌと同様の右ガイド板３６Ｒ（図２参照）が設けられている。供給ローラ３５は、左ガイド板３６Ｌおよび右ガイド板３６Ｒに回転可能に支持されている。
【００６１】  また、本実施形態では、第１プラテン３１の後部の上方には、押さえローラ３５ａが設けられている。押さえローラ３５ａは、供給ローラ３５から供給されたロール状の記録媒体５Ａを第１プラテン３１に向かって押さえつけるローラである。なお、図示は省略するが、押さえローラ３５ａは、媒体搬送装置３０Ｃの構成部材に着脱可能に設けられている。ここでは、平板状の記録媒体５Ｂを搬送する際、押さえローラ３５ａは、媒体搬送装置３０Ｃの構成部材から取り外される。ただし、押さえローラ３５ａは、駆動モータ（図示せず）を介して制御装置８０に接続されていてもよい。この場合、上記駆動モータが駆動することで、押さえローラ３５ａが上下方向に移動してもよい。また、押さえローラ３５ａは、作業者が手動で上下方向に移動させることができるような構成であってもよい。
【００６２】  本実施形態では、第１プラテン３１の上方には、記録ヘッド１５が設けられている。そして、記録ヘッド１５と、第１プラテン３１の後方に設けられた第１下側搬送ローラ６１との間には、ロール状の記録媒体５Ａが通過する搬送通路７１ａ１が設けられている。ここでは、搬送通路７１ａ１は、押さえローラ３５ａと第１下側搬送ローラ６１との間に設けられている。本実施形態において、搬送通路７１ａ１は、本発明の「第３搬送通路」に対応する。また、第１プラテン３１と、第１プラテン３１の前方に設けられた第２下側搬送ローラ６２との間には、ロール状の記録媒体５Ａが通過する搬送通路７１ａ２が設けられている。
【００６３】  ロール状の記録媒体５Ａを前方に搬送する際、供給ローラ３５から供給された記録媒体５Ａは、搬送通路７１ａ１を通過すると共に、押さえローラ３５ａの後部に接して、押さえローラ３５ａと第１プラテン３１との間を通過する。第１プラテン３１上に配置された記録媒体５Ａは、記録ヘッド１５からインクが吐出されることで印刷される。印刷された記録媒体５Ａは、搬送通路７１ａ２を通過する。その後、記録媒体５Ａは、第１実施形態と同様に、第１プラテン３１からテンションバー４１の前側を通って、巻き取りローラ３８に巻き取られる。なお、平板状の記録媒体５Ｂを搬送方向Ｘ１に搬送する場合、押さえローラ３５ａを取り外す、または、上昇させるとよい。このことによって、平板状の記録媒体５Ｂを搬送する際、記録媒体５Ｂが押さえローラ３５ａに接触することを防止することができる。
【００６４】  本実施形態では、ロール状の記録媒体５Ａを搬送する際、記録媒体５Ａは、記録ヘッド１５と第１下側搬送ローラ６１との間に形成された搬送通路７１ａ１、および、第１プラテン３１と第２下側搬送ローラ６２との間に形成された搬送通路７１ａ２を通過する。そのため、記録媒体５Ａが記録ヘッド１５、第１下側搬送ローラ６１および第２下側搬送ローラ６２に接触することを防止することができる。また、本実施形態であっても、上記各実施形態と同様に、第１下側搬送ローラ６１と第２下側搬送ローラ６２との間において、平板状の記録媒体５Ｂが曲がることなく、記録媒体５Ｂを前方、すなわち、搬送方向Ｘ１に搬送することができる。よって、本実施形態であっても、ロール状の記録媒体５Ａおよび平板状の記録媒体５Ｂを円滑に搬送することができる。
【００６５】  ＜第４実施形態＞  上記各実施形態では、第２プラテン５２は、第１プラテン３１上に着脱可能に設けられていた。しかし、第２プラテン５２は、省略することが可能である。
【００６６】  図１０は、第４実施形態に係る印刷装置１Ｄの側面図である。図１０は、媒体搬送装置３０Ｄが平板状の記録媒体５Ｂを搬送する状態を示している。図１１は、第４実施形態に係る印刷装置１Ｄの主要要素を示すブロック図である。図１０に示すように、第１プラテン３１は、昇降可能に構成されている。ここでは、図１１に示すように、媒体搬送装置３０Ｄは、第１プラテン３１に接続された駆動モータ３１ａを備えている。駆動モータ３１ａは、制御装置８０によって制御される。第１プラテン３１は、駆動モータ３１ａが駆動することによって上下方向に移動する。第１プラテン３１は、その上面が第１下側搬送ローラ６１の上端と第２下側搬送ローラ６２の上端とを結ぶ直線Ｌ１に位置するまで上昇可能に構成されている。
【００６７】  平板状の記録媒体５Ｂを搬送する際、制御装置８０によって駆動モータ３１ａを駆動させることによって、第１プラテン３１は、その上面が第１下側搬送ローラ６１の上端と第２下側搬送ローラ６２の上端とを結ぶ直線Ｌ１に位置するまで上昇する。なお、このとき、制御装置８０によって駆動モータ３３ａを制御することで、ピンチローラ３３は、上昇した第１プラテン３１よりも上方に移動する。平板状の記録媒体５Ｂは、第１下側搬送ローラ６１と第１上側搬送ローラ６５とに挟まれた状態において、第１下側搬送ローラ６１が駆動して回転することによって、記録媒体５Ｂは、上昇した第１プラテン３１上に搬送される。また、記録媒体５Ｂは、第２下側搬送ローラ６２と第２上側搬送ローラ６６に挟まれる。第２下側搬送ローラ６２と第２上側搬送ローラ６６に挟まれた記録媒体５Ｂは、第２下側搬送ローラ６２が駆動して回転することによって、更に前方に搬送される。
【００６８】  本実施形態では、第１下側搬送ローラ６１の上端と第２下側搬送ローラ６２とを結ぶ直線Ｌ１まで上昇したときにおける第１プラテン３１が、平板状の記録媒体５Ｂが載置される「第２プラテン」に対応する。
【００６９】  本実施形態によれば、第１プラテン３１を上昇させることで、第１プラテン３１を平板状の記録媒体５Ｂを載置するプラテンとして使用している。よって、部品点数を削減することができる。
【００７０】  ＜第５実施形態＞  上記各実施形態では、媒体搬送装置３０Ａ、３０Ｂ、３０Ｃ、３０Ｄは、ロール状の記録媒体５Ａおよび平板状の記録媒体５Ｂを搬送する装置であった。しかし、本発明の媒体搬送装置は、記録媒体５Ａ、５Ｂ、および、記録媒体５Ａ、５Ｂとは異なる他の記録媒体を搬送する装置であってもよい。すなわち、本発明の媒体搬送装置は、種類または材質が異なる３つの記録媒体を搬送する装置であってもよい。
【００７１】  図１２は、第５実施形態に係る印刷装置１Ｅの側面図である。第５実施形態に係る印刷装置１Ｅは、ロール状の記録媒体５Ａ、５Ｃ、および、平板状の記録媒体５Ｂのうち何れかの記録媒体に印刷を行う。媒体搬送装置３０Ｅは、ロール状の記録媒体５Ａ、５Ｃ、平板状の記録媒体５Ｂを搬送する装置である。なお、図１２では、平板状の記録媒体５Ｂは省略されている。
【００７２】  ここでは、ロール状の記録媒体５Ｃは、記録媒体５Ａ、５Ｂよりも可撓性が高い材質で形成されている。記録媒体５Ｃは、水平面に置いて水平面上を滑らせたときに撓み易い材質で形成されている。記録媒体５Ｃは、記録媒体５Ａ、５Ｂよりも薄い材質で形成されている。例えば、記録媒体５Ａの平均厚みは、０．２ｍｍ程度である。例えば、記録媒体５Ｃの平均厚みは、０．０５ｍｍ程度である。記録媒体５Ｃは、ペットボトルの表面に付着され、デコレーションなどに用いられる媒体である。記録媒体５Ｃは、ＰＳ（ポリスチレン）またはＰＥＴ（ポリエチレンテレフタレート）を用いて形成されたフィルム状の媒体である。例えば、記録媒体５Ｃは、シュリンクフィルムである。ただし、記録媒体５Ｃの材質は、撓み易い材質に限定されない。また、記録媒体５Ｃの材料は、ＰＳまたはＰＥＴに限定されない。例えば、記録媒体５Ｃは、伸展性を有する材質であってもよい。記録媒体５Ｃは、ストレッチフィルムであってもよい。なお、本実施形態では、ロール状の記録媒体５Ａは、本発明の「第１ロール状記録媒体」に対応する。ロール状の記録媒体５Ｃは、本発明の「第２ロール状記録媒体」に対応する。
【００７３】  次に、媒体搬送装置３０Ｅにおけるロール状の記録媒体５Ｃを搬送する構成について説明する。媒体搬送装置３０Ｅは、記録媒体５Ｃを搬送方向Ｘ１、すなわち、後方から前方に向かう方向に搬送する。ここでは、記録媒体５Ａ、５Ｂは、上記各実施形態と同様に、搬送方向Ｘ１、すなわち、後方から前方に向かう方向に搬送される。記録媒体５Ｃは、記録媒体５Ａ、５Ｂと同じ方向に搬送されている。しかし、記録媒体５Ｃの搬送方向は、記録媒体５Ａ、５Ｂの搬送方向と異なっていてもよい。例えば、媒体搬送装置３０Ｅは、記録媒体５Ｃを前方から後方に向かう方向に搬送してもよい。
【００７４】  媒体搬送装置３０Ｅの供給ローラ３５は、ロール状の記録媒体５Ｃを供給する。ここでは、記録媒体５Ａ、５Ｃは、同じ供給ローラ３５から供給される。
【００７５】  媒体搬送装置３０Ｅは、第１巻き掛けローラ８１と、第２巻き掛けローラ８２を備えている。第１巻き掛けローラ８１および第２巻き掛けローラ８２は、ロール状の記録媒体５Ｃが巻き掛けられると共に、記録媒体５Ｃを搬送するものである。第１巻き掛けローラ８１および第２巻き掛けローラ８２は、主走査方向Ｙに延びる円筒形状または円柱形状に形成されている。本実施形態では、第１巻き掛けローラ８１および第２巻き掛けローラ８２の少なくとも表面はゴム製である。このことによって、記録媒体５Ｃが第１巻き掛けローラ８１および第２巻き掛けローラ８２上で滑ることなく、記録媒体５Ｃを搬送することができる。
【００７６】  第１巻き掛けローラ８１は、第１プラテン３１よりも後方かつ下方に設けられている。第１巻き掛けローラ８１は、第１プラテン３１における搬送方向Ｘ１の上流側に設けられている。第１巻き掛けローラ８１の中心Ｃ３１（回転軸Ｌ３１）は、供給ローラ３５の中心Ｃ１１（回転軸Ｌ１１）よりも前方かつ上方に位置している。ここでは、第１巻き掛けローラ８１の下端は、供給ローラ３５の上端よりも上方に位置している。第１巻き掛けローラ８１の中心Ｃ３１（回転軸Ｌ３１）は、第１下側搬送ローラ６１の中心Ｃ２１（回転軸Ｌ２１）よりも前方かつ下方に位置している。ここでは、第１巻き掛けローラ８１の上端は、第１下側搬送ローラ６１の下端よりも下方に位置している。第１巻き掛けローラ８１の後端は、第１下側搬送ローラ６１の前端よりも前方に位置している。
【００７７】  第２巻き掛けローラ８２は、第１プラテン３１よりも下方に設けられている。第２巻き掛けローラ８２は、第１プラテン３１における搬送方向Ｘ１の下流側に設けられている。第２巻き掛けローラ８２の中心Ｃ３２（回転軸Ｌ３２）は、巻き取りローラ３８の中心Ｃ１２（回転軸Ｌ１２）よりも後方かつ上方に位置している。ここでは、第２巻き掛けローラ８２の下端は、巻き取りローラ３８の上端よりも上方に位置している。第２巻き掛けローラ８２の中心Ｃ３２（回転軸Ｌ３２）は、第２下側搬送ローラ６２の中心Ｃ２２（回転軸Ｌ２２）よりも後方かつ下方に位置している。ここでは、第２巻き掛けローラ８２の上端は、第２下側搬送ローラ６２の下端よりも下方に位置している。また、第２巻き掛けローラ８２の前端は、第２下側搬送ローラ６２の後端よりも後方に位置している。本実施形態では、第２巻き掛けローラ８２の中心Ｃ３２（回転軸Ｌ３２）は、テンションバー４１よりも後方かつ上方に位置している。
【００７８】  本実施形態では、第１巻き掛けローラ８１の両端部および第２巻き掛けローラ８２の両端部は、媒体搬送装置３０Ｅの構成部材（図示せず）に設けられている。第１巻き掛けローラ８１は、回転軸Ｌ３１を軸にして回転する。第２巻き掛けローラ８２は、回転軸Ｌ３２を軸にして回転する。
【００７９】  本実施形態では、媒体搬送装置３０Ｅの第１下側搬送ローラ６１と第２下側搬送ローラ６２は、平板状の記録媒体５Ｂを搬送するだけでなく、ロール状の記録媒体５Ｃを搬送するローラである。第１下側搬送ローラ６１および第２下側搬送ローラ６２の少なくとも表面はゴム製である。なお、ここでは、第２下側搬送ローラ６２には、駆動モータ６８（図３参照）が接続されている。そのため、駆動モータ６８が駆動して、第２下側搬送ローラ６２が回転することによって、記録媒体５Ｃは、搬送方向Ｘ１の下流側に向かって搬送される。なお、第１下側搬送ローラ６１は、自ら回転する駆動ローラであってもよいし、自らが回転しない従動ローラであってもよい。すなわち、第１下側搬送ローラ６１には、駆動モータ６４が接続されていてもよいし、駆動モータ６４が接続されていなくてもよい。
【００８０】  本実施形態では、第１下側搬送ローラ６１の上方に配置された第１上側搬送ローラ６５、および、第２下側搬送ローラ６２の上方に配置された第２上側搬送ローラ６６は、ロール状の記録媒体５Ｃを搬送しない。記録媒体５Ｃを搬送する際、記録媒体５Ｃは、第１下側搬送ローラ６１と第１上側搬送ローラ６５に挟まれることなく、第１下側搬送ローラ６１によって搬送される。また、記録媒体５Ｃは、第２下側搬送ローラ６２と第２上側搬送ローラ６６に挟まれることなく、第２下側搬送ローラ６２によって搬送される。記録媒体５Ｃを搬送する際、第１上側搬送ローラ６５は、駆動モータ６５ａが駆動することによって上方に移動していると共に、第２上側搬送ローラ６６は、駆動モータ６６ａが駆動することによって上方に移動しているとよい。ただし、記録媒体５Ｃを搬送する際、記録媒体５Ｃは、第１下側搬送ローラ６１と第１上側搬送ローラ６５に挟まれると共に、第２下側搬送ローラ６２と第２上側搬送ローラ６６に挟まれることによって、搬送方向Ｘ１に搬送されてもよい。
【００８１】  ここでは、ロール状の記録媒体５Ｃを搬送する際、グリッドローラ３２およびピンチローラ３３は使用しない。記録媒体５Ｃは、グリッドローラ３２およびピンチローラ３３によって搬送されない。そのため、ここでは、ロール状の記録媒体５Ｃを搬送する際、グリッドローラ３２が下降することによって、グリッドローラ３２の上端は、第１プラテン３１の上面よりも下方に位置する。また、ロール状の記録媒体５Ｃを搬送する際、ピンチローラ３３が上昇することによって、ピンチローラ３３の下端は、第１プラテン３１の上面よりも上方に位置する。
【００８２】  本実施形態では、第１プラテン３１と第１巻き掛けローラ８１との間には、記録媒体５Ｃが通る搬送通路８５が形成されている。また、第１プラテン３１と第２巻き掛けローラ８２との間には、記録媒体５Ｃが通る搬送通路８６が形成されている。なお、本実施形態では、搬送通路８５、８６は、本発明の「他のロール状記録媒体搬送通路」に対応する。
【００８３】  本実施形態では、ロール状の記録媒体５Ｃを搬送する際、第２下側搬送ローラ６２が駆動することによって、記録媒体５Ｃは、供給ローラ３５から第１プラテン３１に向かって供給される。具体的には、第２下側搬送ローラ６２が駆動することによって供給ローラ３５から供給された記録媒体５Ｃは、先ず、第１巻き掛けローラ８１に巻き掛けられる。そして、第１巻き掛けローラ８１に巻き掛けられた記録媒体５Ｃは、搬送通路８５を通って第１下側搬送ローラ６１に向かって搬送された後、第１下側搬送ローラ６１に巻き掛けられる。そして、第１下側搬送ローラ６１に巻き掛けられた記録媒体５Ｃは、第１プラテン３１上に搬送される。第１プラテン３１上では、記録ヘッド１５から記録媒体５Ｃに向かってインクが吐出され、記録媒体５Ｃは印刷される。
【００８４】  その後、記録媒体５Ｃは、第２下側搬送ローラ６２に向かって搬送され、第２下側搬送ローラ６２に巻き掛けられる。第２下側搬送ローラ６２に巻き掛けられた記録媒体５Ｃは、第２巻き掛けローラ８２に向かって搬送され、搬送通路８６を通って第２巻き掛けローラ８２に巻き掛けられる。そして、第２巻き掛けローラ８２に巻き掛けられた記録媒体５Ｃは、テンションバー４１の前側を通って、巻き取りローラ３８に巻き取られる。本実施形態では、第１巻き掛けローラ８１、第２巻き掛けローラ８２、および、テンションバー４１によって、ロール状の記録媒体５Ｃは、張った状態で搬送される。なお、本実施形態において、記録媒体５Ａ、５Ｂが搬送される順序は、上記各実施形態と同様のため、その説明は省略する。
【００８５】  以上、本実施形態では、ロール状の記録媒体５Ｃを搬送する際、第１巻き掛けローラ８１、第２巻き掛けローラ８２、第１下側搬送ローラ６１、および、第２下側搬送ローラ６２に記録媒体５Ｃを巻き掛けることで、媒体搬送装置３０Ｅは、記録媒体５Ｃを搬送している。よって、ロール状の記録媒体５Ａを搬送する場合と比較して、より張った状態で記録媒体５Ｃを搬送することができる。したがって、記録媒体５Ａよりも可撓性が高い記録媒体５Ｃであっても、より確実に搬送することができる。
【００８６】  本実施形態では、ロール状の記録媒体５Ｃを搬送する際、記録媒体５Ｃは、第１プラテン３１と第１巻き掛けローラ８１との間の搬送通路８５、および、第１プラテン３１と第２巻き掛けローラ８２との間の搬送通路８６を通る。よって、印刷装置１Ｅを構成する部品によって通路が妨げられることなく、記録媒体５Ｃを円滑に搬送することができる。本実施形態では、種類が異なる記録媒体５Ａ、５Ｂ、５Ｃをそれぞれ円滑に搬送することができる。
【００８７】  ＜他の実施形態＞  上記第１〜第４実施形態では、第１プラテン３１の後方には、第１下側搬送ローラ６１が設けられており、第１プラテン３１の前方には、第２下側搬送ローラ６２が設けられていた。しかし、第１下側搬送ローラ６１および第２下側搬送ローラ６２のうち何れか一方は省略することが可能である。この場合であっても、平板状の記録媒体５Ｂが曲がることなく、記録媒体５Ｂを前方に搬送することができる。
【００８８】  上記第１〜第４実施形態では、第１下側搬送ローラ６１には、駆動モータ６４が接続されていた。第２下側搬送ローラ６２には、駆動モータ６８が接続されていた。駆動モータ６４、６８が駆動することによって、第１下側搬送ローラ６１および第２下側搬送ローラ６２が自ら回転することで、平板状の記録媒体５Ｂを搬送していた。しかし、第１下側搬送ローラ６１および第２下側搬送ローラ６２には、駆動モータ６４、６８が接続されていなくてもよい。第１下側搬送ローラ６１および第２下側搬送ローラ６２は、駆動力を有していなくてもよい。本発明において、ローラが記録媒体を「搬送する」とは、搬送するローラが必ずしも駆動力を有していなくてもよい。例えば、ローラが従動する場合であっても、そのローラが記録媒体を搬送するものであれば、記録媒体を搬送するローラであるといえる。
【００８９】  第１下側搬送ローラ６１および第２下側搬送ローラ６２と、グリッドローラ３２とは、互いに独立して駆動するように構成されていてもよい。例えば、ロール状の記録媒体５Ａを搬送する際には、グリッドローラ３２を駆動させることで回転させる。このとき、第１下側搬送ローラ６１および第２下側搬送ローラ６２を停止させてもよい。一方、平板状の記録媒体５Ｂを搬送する際には、第１下側搬送ローラ６１および第２下側搬送ローラ６２を駆動させることで回転させる。このとき、グリッドローラ３２を停止させてもよい。このことによって、グリッドローラ３２、第１下側搬送ローラ６１および第２下側搬送ローラ６２が無駄に駆動することを防止することができる。なお、ロール状の記録媒体５Ａおよび平板状の記録媒体５Ｂを搬送する際、グリッドローラ３２、第１下側搬送ローラ６１および第２下側搬送ローラ６２の全てが回転するように構成されてもよい。
【００９０】  上記各実施形態では、平板状の記録媒体５Ｂは、後方から前方に向かって搬送されていた。しかし、平板状の記録媒体５Ｂの搬送方向は特に限定されず、後方から前方に向かって搬送されてもよい。
【００９１】  ＜変形例＞  上記各実施形態では、印刷装置は、インクジェット式のプリンタであった。しかし、印刷装置の種類は何ら限定されない。ただし、本発明に係る印刷装置はインクジェット方式のプリンタに限定されず、例えば、レーザー方式のプリンタであってもよい。また、例えば、本発明の記録ヘッドは、紫外線が照射されると硬化するインク（いわゆるＵＶインク）を吐出し、印刷装置は、ＵＶインクに紫外線を照射する照射装置を備えていてもよい。また、印刷装置は、記録媒体をカットするカッティングヘッドを備えていてもよい。
【符号の説明】
【００９２】    １Ａ、１Ｂ、１Ｃ、１Ｄ、１Ｅ  印刷装置    ５Ａ  ロール状の記録媒体（第１ロール状記録媒体）    ５Ｂ  平板状の記録媒体    ５Ｃ  ロール状の記録媒体（第２ロール状記録媒体）  ３０Ａ、３０Ｂ、３０Ｃ、３０Ｄ、３０Ｅ  媒体搬送装置  ３１  第１プラテン  ３２  グリッドローラ  ３３  ピンチローラ  ３５  供給ローラ  ３８  巻き取りローラ  ５２  第２プラテン  ６１  第１下側搬送ローラ（第１搬送ローラ）  ６２  第２下側搬送ローラ（第２搬送ローラ）  ７１  ロール媒体用搬送通路（第１搬送通路、第２搬送通路）  ７１ａ１  搬送通路（第３搬送通路）  ８１  第１巻き掛けローラ  ８２  第２巻き掛けローラ  Ｘ１  搬送方向
【図１】
2015166950.tif 000003
【図２】
2015166950.tif 000004
【図３】
2015166950.tif 000005
【図４】
2015166950.tif 000006
【図５】
2015166950.tif 000007
【図６】
2015166950.tif 000008
【図７】
2015166950.tif 000009
【図８】
2015166950.tif 000010
【図９】
2015166950.tif 000011
【図１０】
2015166950.tif 000012
【図１１】
2015166950.tif 000013
【図１２】
2015166950.tif 000014
【手続補正書】
【提出日】平成28年9月13日(2016.9.13)
【手続補正１】
【補正対象書類名】特許請求の範囲
【補正対象項目名】全文
【補正方法】変更
【補正の内容】
【特許請求の範囲】
【請求項１】
少なくとも一部が曲がりながら搬送されるロール状記録媒体と、真っ直ぐに搬送され、かつ、ロール状に巻くことができない材質で形成されている平板状記録媒体とを選択的に搬送可能な媒体搬送装置であって、
前記ロール状記録媒体が載置される第１プラテンと、
前記ロール状記録媒体を前記第１プラテンに向かって送り出す供給ローラと、
前記第１プラテンの後方に配置され、前記平板状記録媒体を前方または後方に搬送する第１搬送ローラと、
前記第１プラテンの前方に配置され、前記第１搬送ローラが前記平板状記録媒体を搬送する方向と同一の方向に前記平板状記録媒体を搬送する第２搬送ローラと、を備え、
前記供給ローラの中心は、前記第１搬送ローラの中心よりも下方に位置し、
前記第１プラテンと前記第１搬送ローラとの間に、前記供給ローラから前記第１プラテンに送り出される前記ロール状記録媒体が通る第１搬送通路が形成されている、媒体搬送装置。
【請求項２】
前記第１プラテンに設けられ、前記ロール状記録媒体を前方に搬送するグリッドローラを備え、
前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、請求項１に記載された媒体搬送装置。
【請求項３】
少なくとも一部が曲がりながら搬送されるロール状記録媒体と、真っ直ぐに搬送される平板状記録媒体とを選択的に搬送可能な媒体搬送装置であって、
前記ロール状記録媒体が載置される第１プラテンと、
前記ロール状記録媒体を前記第１プラテンに向かって送り出す供給ローラと、
上端部が前記第１プラテンから露出するように前記第１プラテンに埋設され、前記ロール状記録媒体を前方に搬送するグリッドローラと、
前記第１プラテンの後方に配置され、前記平板状記録媒体を前方または後方に搬送する第１搬送ローラと、
前記第１プラテンの前方に配置され、前記第１搬送ローラが前記平板状記録媒体を搬送する方向と同一の方向に前記平板状記録媒体を搬送する第２搬送ローラと、を備え、
前記供給ローラの中心は、前記第１搬送ローラの中心よりも下方に位置し、
前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、媒体搬送装置。
【請求項４】
前記第１プラテンの下方に設けられ、前記第１プラテン上を通過した前記ロール状記録媒体を巻き取る巻き取りローラを備えた、請求項１から３までの何れか一つに記載された媒体搬送装置。
【請求項５】
前記第１搬送ローラの中心および前記第２搬送ローラの中心は、前記供給ローラの中心および前記巻き取りローラの中心よりも上方に位置している、請求項４に記載された媒体搬送装置。
【請求項６】
前記供給ローラの中心は、前記第１搬送ローラの中心よりも前方に位置し、
前記巻き取りローラの中心は、前記第２搬送ローラの中心よりも後方に位置する、請求項４または５に記載された媒体搬送装置。
【請求項７】
前記第１プラテンと前記第２搬送ローラとの間に、前記第１プラテン上を通過した前記ロール状記録媒体が通る第２搬送通路が形成されている、請求項１から６までの何れか一つに記載された媒体搬送装置。
【請求項８】
前記第１プラテンの上面は、前記第１搬送ローラおよび前記第２搬送ローラの軸方向から見たときに、前記第１搬送ローラの上端と前記第２搬送ローラの上端とを結ぶ直線よりも下方に配置されている、請求項１から７までの何れか一つに記載された媒体搬送装置。
【請求項９】
前記第１プラテン上に着脱可能に設けられ、前記平板状記録媒体が載置される第２プラテンを備えた、請求項１から８までの何れか一つに記載された媒体搬送装置。
【請求項１０】
前記第１プラテンは、前記第１搬送ローラおよび前記第２搬送ローラの軸方向から見たときに、前記第１プラテンの上面が前記第１搬送ローラの上端と前記第２搬送ローラの上端とを結ぶ直線と一致する位置まで昇降可能に構成された、請求項１から８までの何れか一つに記載された媒体搬送装置。
【請求項１１】
前記グリッドローラの上方に配置され、前記グリッドローラと共に前記ロール状記録媒体を挟むピンチローラと、
前記平板状記録媒体が搬送される際、前記ピンチローラを前記第１搬送ローラの上端と前記第２搬送ローラの上端とを結ぶ直線よりも上方に移動させる移動機構と、
を備えた、請求項２または３に記載された媒体搬送装置。
【請求項１２】
前記第１搬送ローラおよび前記第２搬送ローラを回転させる駆動モータを備えた、請求項１から１１までの何れか一つに記載された媒体搬送装置。
【請求項１３】
前記ロール状記録媒体と、前記平板状記録媒体と、少なくとも一部が曲がりながら搬送され、前記ロール状記録媒体よりも可撓性が高い他のロール状記録媒体とを選択的に搬送可能であり、
前記第１プラテンには、前記他のロール状記録媒体が載置され、
前記供給ローラは、前記他のロール状記録媒体を前記第１プラテンに向かって送り出し、
前記第１プラテンの後方に配置され、前記供給ローラから送り出された前記他のロール状記録媒体が巻き掛けられると共に、前記他のロール状記録媒体を前記第１プラテンに向かって送り出す第１巻き掛けローラを備え、
前記第１搬送ローラは、前記第１巻き掛けローラから送り出された前記他のロール状記録媒体が巻き掛けられると共に、前記他のロール状記録媒体を前記第１プラテンに向かって送り出し、
前記第１巻き掛けローラの中心は、前記第１搬送ローラの中心よりも前方かつ下方に位置し、
前記第１プラテンと前記第１巻き掛けローラとの間に、前記他のロール状記録媒体が通る他のロール状記録媒体搬送通路が形成されている、請求項１から１２までの何れか一つに記載された媒体搬送装置。
【請求項１４】
前記第１巻き掛けローラの中心は、前記供給ローラの中心よりも前方かつ上方に位置している、請求項１３に記載された媒体搬送装置。
【請求項１５】
少なくとも一部が曲がりながら搬送されるロール状記録媒体と、真っ直ぐに搬送され、かつ、ロール状に巻くことができない材質で形成されている平板状記録媒体とを選択的に搬送可能な媒体搬送装置であって、
前記ロール状記録媒体が載置される第１プラテンと、
前記ロール状記録媒体を前記第１プラテンに向かって送り出す供給ローラと、
前記第１プラテンの後方に配置され、前記平板状記録媒体を前方または後方に搬送する第１搬送ローラと、を備え、
前記供給ローラの中心は、前記第１搬送ローラの中心よりも下方に位置し、
前記第１プラテンと前記第１搬送ローラとの間に、前記供給ローラから送り出される前記ロール状記録媒体が通る第１搬送通路が形成されている、媒体搬送装置。
【請求項１６】
少なくとも一部が曲がりながら搬送されるロール状記録媒体と、真っ直ぐに搬送される平板状記録媒体とを選択的に搬送可能な媒体搬送装置であって、
前記ロール状記録媒体が載置される第１プラテンと、
前記ロール状記録媒体を前記第１プラテンに向かって送り出す供給ローラと、
上端部が前記第１プラテンから露出するように前記第１プラテンに埋設され、前記ロール状記録媒体を前方に搬送するグリッドローラと、
前記第１プラテンの前方に配置され、前記平板状記録媒体を前方または後方に搬送する第２搬送ローラと、を備え、
前記グリッドローラは、前記第２搬送ローラの軸方向から見たときに、前記第２搬送ローラの上端を通る水平面よりも下方に配置され、
前記第１プラテンと前記第２搬送ローラとの間に、前記供給ローラから送り出されて前記第１プラテン上を通過した前記ロール状記録媒体が通る第２搬送通路が形成されている、媒体搬送装置。
【請求項１７】
少なくとも一部が曲がりながら搬送されるロール状記録媒体と、真っ直ぐに搬送される平板状記録媒体とを選択的に搬送可能な媒体搬送装置であって、
前記ロール状記録媒体が載置される第１プラテンと、
前記第１プラテンの上方に設けられ、前記第１プラテン上の前記ロール状記録媒体に向かってインクを吐出する記録ヘッドと、
前記ロール状記録媒体を前記第１プラテンに向かって送り出す供給ローラと、
前記第１プラテンの後方に配置され、前記平板状記録媒体を前方または後方に搬送する第１搬送ローラと、を備え、
前記供給ローラの中心は、前記第１搬送ローラの中心よりも上方に位置し、
前記記録ヘッドと前記第１搬送ローラとの間に、前記供給ローラから送り出される前記ロール状記録媒体が通る第３搬送通路が形成されている、媒体搬送装置。
【請求項１８】
少なくとも一部が曲がりながら搬送されるロール状記録媒体と、真っ直ぐに搬送される平板状記録媒体とを選択的に搬送可能な媒体搬送装置であって、
前記ロール状記録媒体が載置される第１プラテンと、
前記第１プラテンの上方に設けられ、前記第１プラテン上の前記ロール状記録媒体に向かってインクを吐出する記録ヘッドと、
前記ロール状記録媒体を前記第１プラテンに向かって送り出す供給ローラと、
前記第１プラテンの前方に配置され、前記平板状記録媒体を前方または後方に搬送する第２搬送ローラと、を備え、
前記供給ローラの中心は、前記第２搬送ローラの中心よりも上方に位置し、
前記第１プラテンと前記第２搬送ローラとの間に、前記供給ローラから送り出されて前記第１プラテン上を通過した前記ロール状記録媒体が通る第２搬送通路が形成されている、媒体搬送装置。
【請求項１９】
少なくとも一部が曲がりながら搬送されるロール状記録媒体と、真っ直ぐに搬送される平板状記録媒体とを選択的に搬送可能な媒体搬送装置であって、
前記ロール状記録媒体が載置される第１プラテンと、
上端部が前記第１プラテンから露出するように前記第１プラテンに埋設され、前記ロール状記録媒体を前方に搬送するグリッドローラと、
前記第１プラテンの前方または後方に配置され、前記平板状記録媒体を前方または後方に搬送する第１搬送ローラと、を備え、
前記第１搬送ローラの軸方向から見たときに、前記第１搬送ローラの上端を通る水平面は、前記第１プラテンの上面よりも上方に位置している、媒体搬送装置。
【請求項２０】
前記第１搬送ローラによって前記平板状記録媒体を搬送する際、前記グリッドローラは、前記第１搬送ローラの軸方向から見たときに、前記第１搬送ローラの上端を通る水平面よりも下方に位置している、請求項１９に記載された媒体搬送装置。
【請求項２１】
前記グリッドローラは、前記ロール状記録媒体を搬送する際に回転し、かつ、前記平板状記録媒体が前記第１搬送ローラによって搬送される際に停止するように構成されている、請求項１９または２０に記載された媒体搬送装置。
【請求項２２】
前記ロール状記録媒体を前記第１プラテンに向かって送り出す供給ローラと、
前記第１プラテンの前方に配置され、前記第１搬送ローラが前記平板状記録媒体を搬送する方向と同一の方向に前記平板状記録媒体を搬送する第２搬送ローラと、を備え、
前記第１搬送ローラは、前記第１プラテンの後方に配置され、
前記供給ローラの中心は、前記第１搬送ローラの中心よりも下方に位置し、
前記第１プラテンと前記第１搬送ローラとの間に、前記供給ローラから前記第１プラテンに送り出される前記ロール状記録媒体が通る第１搬送通路が形成されている、請求項１９から２１までの何れか一つに記載された媒体搬送装置。
【請求項２３】
前記ロール状記録媒体を前記第１プラテンに向かって送り出す供給ローラと、
前記第１プラテンの前方に配置され、前記第１搬送ローラが前記平板状記録媒体を搬送する方向と同一の方向に前記平板状記録媒体を搬送する第２搬送ローラと、を備え、
前記第１搬送ローラは、前記第１プラテンの後方に配置され、
前記供給ローラの中心は、前記第１搬送ローラの中心よりも下方に位置し、
前記グリッドローラは、前記第１搬送ローラおよび前記第２搬送ローラの軸方向から見たときに、前記第１搬送ローラの上端と前記第２搬送ローラの上端とを結ぶ直線よりも下方に配置されている、請求項１９から２１までの何れか一つに記載された媒体搬送装置。
【請求項２４】
前記ロール状記録媒体を前記第１プラテンに向かって送り出す供給ローラを備え、
前記第１搬送ローラは、前記第１プラテンの後方に配置され、
前記供給ローラの中心は、前記第１搬送ローラの中心よりも下方に位置し、
前記第１プラテンと前記第１搬送ローラとの間に、前記供給ローラから送り出される前記ロール状記録媒体が通る第１搬送通路が形成されている、請求項１９から２１までの何れか一つに記載された媒体搬送装置。
【請求項２５】
前記ロール状記録媒体を前記第１プラテンに向かって送り出す供給ローラと、
前記第１プラテンの前方に配置され、前記第１搬送ローラが前記平板状記録媒体を搬送する方向と同一の方向に前記平板状記録媒体を搬送する第２搬送ローラと、を備え、
前記第１搬送ローラは、前記第１プラテンの後方に配置され、
前記第１プラテンと前記第２搬送ローラとの間に、前記供給ローラから送り出されて前記第１プラテン上を通過した前記ロール状記録媒体が通る第２搬送通路が形成されている、請求項１９から２１までの何れか一つに記載された媒体搬送装置。
【請求項２６】
前記第１プラテンの上方に設けられ、前記第１プラテン上の前記ロール状記録媒体に向かってインクを吐出する記録ヘッドと、
前記ロール状記録媒体を前記第１プラテンに向かって送り出す供給ローラと、を備え、
前記第１搬送ローラは、前記第１プラテンの後方に配置され、
前記供給ローラの中心は、前記第１搬送ローラの中心よりも上方に位置し、
前記記録ヘッドと前記第１搬送ローラとの間に、前記供給ローラから送り出される前記ロール状記録媒体が通る第３搬送通路が形成されている、請求項１９から２１までの何れか一つに記載された媒体搬送装置。
【請求項２７】
前記第１プラテンの上方に設けられ、前記第１プラテン上の前記ロール状記録媒体に向かってインクを吐出する記録ヘッドと、
前記ロール状記録媒体を前記第１プラテンに向かって送り出す供給ローラと、
前記第１プラテンの前方に配置され、前記第１搬送ローラが前記平板状記録媒体を搬送する方向と同一の方向に前記平板状記録媒体を搬送する第２搬送ローラと、を備え、
前記第１搬送ローラは、前記第１プラテンの後方に配置され、
前記供給ローラの中心は、前記第２搬送ローラの中心よりも上方に位置し、
前記第１プラテンと前記第２搬送ローラとの間に、前記供給ローラから送り出されて前記第１プラテン上を通過した前記ロール状記録媒体が通る第２搬送通路が形成されている、請求項１９から２１までの何れか一つに記載された媒体搬送装置。
【請求項２８】
少なくとも一部が曲がりながら搬送される第１ロール状記録媒体と、少なくとも一部が曲がりながら搬送される第２ロール状記録媒体とを選択的に搬送可能な媒体搬送装置であって、
前記第１ロール状記録媒体および前記第２ロール状記録媒体が載置される第１プラテンと、
前記第１ロール状記録媒体および前記第２ロール状記録媒体を前記第１プラテンに向かって送り出す供給ローラと、
前記第１プラテンの後方に配置され、前記供給ローラから送り出された前記第２ロール状記録媒体が巻き掛けられると共に、前記第２ロール状記録媒体を前記第１プラテンに向かって送り出す第１巻き掛けローラと、
前記第１プラテンの後方に配置され、前記第１巻き掛けローラから送り出された前記第２ロール状記録媒体が巻き掛けられると共に、前記第２ロール状記録媒体を前記第１プラテンに向かって送り出す第１搬送ローラと、を備え、
前記第１巻き掛けローラの中心は、前記第１搬送ローラの中心よりも前方かつ下方に位置し、
前記第１プラテンと前記第１搬送ローラとの間に、前記供給ローラから前記第１プラテンに送り出される前記第１ロール状記録媒体が通る第１搬送通路が形成され、
前記第１プラテンと前記第１巻き掛けローラとの間に、前記第２ロール状記録媒体が通る第２ロール状記録媒体搬送通路が形成されている、媒体搬送装置。
【請求項２９】
前記第１ロール状記録媒体と、前記第２ロール状記録媒体と、真っ直ぐに搬送される平板状記録媒体とを選択的に搬送可能であり、
前記第１搬送ローラは、前記平板状記録媒体を前方または後方に搬送し、
前記第１プラテンの前方に配置され、前記第１搬送ローラが前記平板状記録媒体を搬送する方向と同一の方向に前記平板状記録媒体を搬送する第２搬送ローラを備え、
前記第１搬送ローラの中心と前記第２搬送ローラの中心とは、同じ高さの位置である、請求項２８に記載された媒体搬送装置。
【請求項３０】
少なくとも一部が曲がりながら搬送される第１ロール状記録媒体と、少なくとも一部が曲がりながら搬送される第２ロール状記録媒体とを選択的に搬送可能な媒体搬送装置であって、
前記第１ロール状記録媒体および前記第２ロール状記録媒体が載置される第１プラテンと、
前記第１プラテンの下方に設けられ、前記第１プラテン上を通過した前記第１ロール状記録媒体および前記第２ロール状記録媒体を巻き取る巻き取りローラと、
前記第１プラテンの前方に配置され、前記第１プラテン上を通過した前記第２ロール状記録媒体が巻き掛けられると共に、前記第２ロール状記録媒体を前記巻き取りローラに向かって送り出す第２搬送ローラと、
前記第１プラテンの前方に配置され、前記第２搬送ローラから送り出された前記第２ロール状記録媒体が巻き掛けられると共に、前記第２ロール状記録媒体を前記巻き取りローラに向かって送り出す第２巻き掛けローラと、を備え、
前記第２巻き掛けローラの中心は、前記第２搬送ローラの中心よりも後方かつ下方に位置し、
前記第１プラテンと前記第２搬送ローラとの間に、前記第１プラテン上を通過した前記第１状記録媒体が通る第２搬送通路が形成され、
前記第１プラテンと前記第２巻き掛けローラとの間に、前記第１プラテン上を通過した前記第２ロール状記録媒体が通る第２ロール状記録媒体搬送通路が形成されている、媒体搬送装置。
【請求項３１】
前記第１ロール状記録媒体と、前記第２ロール状記録媒体と、真っ直ぐに搬送される平板状記録媒体とを選択的に搬送可能であり、
前記第２搬送ローラは、前記平板状記録媒体を前方または後方に搬送し、
前記第１プラテンの後方に配置され、前記第２搬送ローラが前記平板状記録媒体を搬送する方向と同一の方向に前記平板状記録媒体を搬送する第１搬送ローラを備え、
前記第１搬送ローラの中心と、前記第２搬送ローラの中心とは、同じ高さの位置である、請求項３０に記載された搬送媒体装置。
【請求項３２】
請求項１から３１までの何れか一つに記載された媒体搬送装置を備えた、印刷装置。
【国際調査報告】
2015166950.tif 000015
2015166950.tif 000016
2015166950.tif 000017
2015166950.tif 000018